(57)【特許請求の範囲】
【請求項１】
パイロット変調シンボルを含み、ならびに協調マルチポイント送信をサポートするために送信される専用基準信号を使用するための、第１の基地局によって実行される方法であって、
前記第１の基地局および第２の基地局から第１のユーザデバイスへのデータ送信を調整するために、前記第２の基地局と通信することであって、前記データ送信が単一のソースからのものであるように見える、通信することと、
第１のデータ変調シンボルおよび第１のパイロット変調シンボルにクラスタ固有スクランブリングを適用することと、
前記第１の基地局からの前記データ送信の前記スクランブリングされた第１のデータ変調シンボルを、第１の方向において、送信することであって、前記スクラブンリングされた第１のデータ変調シンボルの送信が、第２の方向における前記第２の基地局による前記スクランブリングされた第１のデータ変調シンボルの送信と調整されるようになっている、送信することと、
前記第１の基地局からの前記スクランブリングされた第１のパイロット変調シンボルを、前記第１の方向において、送信することであって、前記スクランブリングされた第１のパイロット変調シンボルの送信が、前記第２の方向における前記第２の基地局による前記スクランブリングされた第１のパイロット変調シンボルの送信と調整されるようになっている、送信することと
を備える方法。
【請求項２】
前記クラスタ固有スクランブリングのためのスクランブリングコードがあらかじめ決定される、請求項１に記載の方法。
【請求項３】
クラスタ固有スクランブリングのためのスクランブリングコードを制御チャネル上で前記第１のユーザデバイスに搬送すること
をさらに備える、請求項１に記載の方法。
【請求項４】
前記第１の方向において送信する前にユーザグループ固有スクランブリングを適用すること
をさらに備える、請求項１に記載の方法。
【請求項５】
第２のユーザデバイスへのデータ送信を調整するために、前記第２の基地局と通信することと、
前記第２のユーザデバイスを対象とする前記データ送信の第２のデータ変調シンボルを、前記第１の基地局から、第３の方向において送信することと、
前記第１の基地局から第２のパイロット変調シンボルを前記第３の方向において送信することと
をさらに備える、請求項１に記載の方法。
【請求項６】
前記第１の基地局と前記第２の基地局との間の前記調整に基づいて、
前記第２のユーザデバイスを対象とする前記第２のデータ変調シンボルおよび前記第２のパイロット変調シンボルを、前記第２の基地局から、第４の方向において送信すること
をさらに備える、請求項５に記載の方法。
【請求項７】
前記第１の方向において送信することが、前記第１のパイロット変調シンボルを第１のレイヤ上で送信することを備え、前記第３の方向において送信することが、前記第２のパイロット変調シンボルを第２のレイヤ上で送信することを備える、請求項５に記載の方法。
【請求項８】
前記第１のパイロット変調シンボルを第１の専用基準信号中に含め、前記第２のパイロット変調シンボルを第２の専用基準信号中に含めることと、
前記第１の専用基準信号を第１のレイヤ上で送信し、前記第２の専用基準信号を第２のレイヤ上で送信することであって、前記第１のレイヤと前記第２のレイヤが相互に直交する、送信することと
をさらに備える、請求項５に記載の方法。
【請求項９】
前記第１のパイロット変調シンボルを前記第１の方向において、および前記第２のパイロット変調シンボルを前記第３の方向において、送信することが、前記第１のパイロット変調シンボルおよび前記第２のパイロット変調シンボルを、直交するリソース上で送信することを備える、請求項５に記載の方法。
【請求項１０】
前記送信することが、時分割多重リソース、周波数分割多重リソース、符号分割多重リソース、またはそれらの組合せ上で、前記第１のパイロット変調シンボルを前記第１の方向において、および前記第２のパイロット変調シンボルを前記第３の方向において、送信することを含む、請求項９に記載の方法。
【請求項１１】
前記第１のパイロット変調シンボルを第１の専用基準信号中に含め、前記第２のパイロット変調シンボルを第２の専用基準信号中に含めることであって、前記第１の専用基準信号および前記第２の専用基準信号が物理ダウンリンク共有チャネル復調をターゲットにする、含めること
をさらに備える、請求項５に記載の方法。
【請求項１２】
プリコーディング動作によって前記第１の専用基準信号および前記第２の専用基準信号を処理すること
をさらに備える、請求項１１に記載の方法。
【請求項１３】
前記送信のために前記第１の基地局によってスケジュールされたリソースブロックおよびレイヤ中に前記第１の専用基準信号および前記第２の専用基準信号を含めること
をさらに備える、請求項１１に記載の方法。
【請求項１４】
前記第１の基地局と前記第２の基地局との間の前記調整が、協調ビームフォーミングを採用することを備える、請求項１に記載の方法。
【請求項１５】
第１の基地局を含む第１のワイヤレス通信装置であって、前記第１の基地局は、
第１のモバイルデバイスへのデータ送信を調整するために、第２の基地局との同期をとることであって、前記データ送信が単一のソースからのものであるように見える、同期をとることと、
第１のデータ変調シンボルおよび第１のパイロット変調シンボルにクラスタ固有スクランブリングを適用することと、
前記データ送信の前記スクランブリングされた第１のデータ変調シンボルを第１の方向において送信することであって、前記スクランブリングされた第１のデータ変調シンボルの送信が、第２の方向における前記第２の基地局による前記スクランブリングされた第１のデータ変調シンボルの送信と調整されるようになっている、送信することと、
前記スクランブリングされた第１のパイロット変調シンボルを前記第１の方向において送信することであって、前記スクランブリングされた第１のパイロット変調シンボルの送信が、前記第２の方向における前記第２の基地局による前記スクランブリングされた第１のパイロット変調シンボルの送信と調整されるようになっている、送信することと
に関係する命令を保持するメモリと、
前記メモリに結合されており、前記メモリ中に保持された命令を実行するように構成された、プロセッサと
を備える第１のワイヤレス通信装置。
【請求項１６】
前記メモリが、前記クラスタ固有スクランブリングのためのスクランブリングコードを前記第１のモバイルデバイスに搬送することとに関係するさらなる命令を保持する、請求項１５に記載のワイヤレス通信装置。
【請求項１７】
前記同期をとることに関係する命令が、協調ビームフォーミングを採用することに関係する命令を備える、請求項１５に記載のワイヤレス通信装置。
【請求項１８】
前記メモリが、第２のモバイルデバイスへの第２のデータ変調シンボルの送信について前記第２の基地局との同期をとることと、前記第２のデータ変調シンボルおよび第２のパイロット変調シンボルを第３の方向において送信することとに関係するさらなる命令を保持する、請求項１５に記載のワイヤレス通信装置。
【請求項１９】
前記メモリが、時分割多重リソース、周波数分割多重リソース、符号分割多重リソース、またはそれらの組合せ上で前記第１のパイロット変調シンボルおよび前記第２のパイロット変調シンボルを送信することに関係するさらなる命令を保持する、請求項１８に記載のワイヤレス通信装置。
【請求項２０】
パイロット変調シンボルを含み、ならびに協調マルチポイント送信をサポートするために送信される専用基準信号を利用する第１のワイヤレス通信装置であって、
第１の基地局および第２の基地局から第１のユーザデバイスへのデータ送信を調整するために、前記第２の基地局と通信するための手段であって、前記データ送信が単一のソースからのものであるように見える、通信するための手段と、
前記第１の基地局からの前記データ送信の前記スクランブリングされた第１のデータ変調シンボルを第１の方向において送信するための手段であって、前記スクランブリングされた第１のデータ変調シンボルの送信が、第２の方向における前記第２の基地局による前記スクランブリングされた第１のデータ変調シンボルの送信と調整されるようになっている、送信するための手段と、
前記第１の基地局からの前記スクランブリングされた第１のパイロット変調シンボルを前記第１の方向において送信するための手段であって、前記スクランブリングされた第１のパイロット変調シンボルの送信が、前記第２の方向における前記第２の基地局による前記スクランブリングされた第１のパイロット変調シンボルの送信と調整されるようになっている、送信するための手段と
を備える第１のワイヤレス通信装置。
【請求項２１】
前記通信することにしたがって、前記第１の基地局から第２のデータ変調シンボルおよび第２のパイロット変調シンボルを第３の方向において送信するための手段をさらに含み、前記第１の方向において送信するための手段が、前記第１のパイロット変調シンボルを第１のレイヤ上で送信し、前記第３の方向において送信するための手段が、前記第２のパイロット変調シンボルを第２のレイヤ上で送信する、請求項２０に記載のワイヤレス通信装置。
【請求項２２】
前記第１のパイロット変調シンボルを第１の専用基準信号中に挿入し、前記第２のパイロット変調シンボルを第２の専用基準信号中に挿入するための手段をさらに備え、前記第１の方向において送信するための手段が、前記第１の専用基準信号を第１のレイヤ上で送信し、前記第２の方向において送信するための手段が、前記第２の専用基準信号を第２のレイヤ上で送信し、前記第１のレイヤと前記第２のレイヤが相互に直交する、請求項２１に記載のワイヤレス通信装置。
【請求項２３】
前記クラスタ固有スクランブリングのためのスクランブリングコードがあらかじめ決定され、
前記ワイヤレス通信装置は、前記スクランブリングコードを前記第１のユーザデバイスおよび前記第２のユーザデバイスに送信するための手段をさらに備える、請求項２０に記載のワイヤレス通信装置。
【請求項２４】
第１のモバイルデバイスへの第１のデータ変調シンボルの送信の同期をとることをコンピュータに行わせるための第１のコードのセットであって、前記送信が単一のソースからのものであるように見える、前記第１のコードのセットと、
第１のデータ変調シンボルおよび第１のパイロット変調シンボルにクラスタ固有スクランブリングを適用するように第１の基地局にさせることを前記コンピュータに行わせるための第２のコードのセットと、
前記同期をとることにしたがって、前記スクランブリングされた第１のデータ変調シンボルおよび前記スクランブリングされた第１のパイロット変調シンボルを第１の方向において送信するように前記第１の基地局にさせることを前記コンピュータに行わせるための第３のコードのセットと、
前記同期にしたがって、前記スクランブリングされた第１のデータ変調シンボルおよび前記スクランブリングされた第１のパイロット変調シンボルを第２の方向において送信するように第２の基地局にさせることを前記コンピュータに行わせるための第４のコードのセットと
を備え、前記同期をとることが、協調ビームフォーミングを採用することを備える、コンピュータ可読記憶媒体。
【請求項２５】
前記第１の方向において送信する前にクラスタ固有スクランブリングを適用することを前記コンピュータに行わせるための第５のコードのセットと、
前記クラスタ固有スクランブリングのためのスクランブリングコードを前記第１のモバイルデバイスに搬送することを前記コンピュータに行わせるための第６のコードのセットと
をさらに備える、請求項２４に記載のコンピュータ可読記憶媒体。
【請求項２６】
第２のモバイルデバイスへの第２のデータ変調シンボルの送信の同期をとることを前記コンピュータに行わせるための第５のコードのセットと、
前記第２のデータ変調シンボルおよび第２のパイロット変調シンボルを第３の方向において送信することを前記コンピュータに行わせるための第６のコードのセットと
をさらに備える、請求項２４に記載のコンピュータ可読記憶媒体。
【請求項２７】
パイロット変調シンボルを含み、ならびに協調マルチポイント送信をサポートするために送信される専用基準信号を利用するように構成された少なくとも１つのプロセッサであって、
第１の基地局および第２の基地局から第１のユーザデバイスへのデータ送信を調整するための第１のモジュールであって、前記データ送信が単一のソースからのものであるように見える、調整するための第１のモジュールと、
第１のデータ変調シンボルおよび第１のパイロット変調シンボルにクラスタ固有スクランブリングを適用するための第２のモジュールであって、
前記第１の基地局からの前記データ送信の前記スクランブリングされた第１のデータ変調シンボルを第１の方向において送信するための第３のモジュールであって、前記スクランブリングされた第１のデータ変調シンボルの送信が、第２の方向における前記スクランブリングされた第２の基地局による前記スクランブリングされた第１のデータ変調シンボルの送信と調整されるようになっている、送信するための第３のモジュールと、
前記第１の基地局からの前記スクランブリングされた第１のパイロット変調シンボルを前記第１の方向において送信するための第４のモジュールであって、前記スクランブリングされた第１のパイロット変調シンボルの送信が、前記第２の方向における前記第２の基地局による前記スクランブリングされた第１のパイロット変調シンボルの送信と調整されるようになっている、送信するための第４のモジュールと
を備える少なくとも１つのプロセッサ。
【請求項２８】
前記第２のモジュールが、時分割多重リソース、周波数分割多重リソース、符号分割多重リソース、またはそれらの組合せ上で前記第１のパイロット変調シンボルを送信する、請求項２７に記載の少なくとも１つのプロセッサ。
【請求項２９】
パイロット変調シンボルを含み、ならびに協調マルチポイントをサポートするために送信される専用基準信号を受信するための、モバイルデバイスによって実行される方法であって、
前記モバイルデバイスを対象とするスクランブリングされたデータ変調シンボルを第１の方向から受信することと、
スクランブリングされたパイロット変調シンボルを前記第１の方向から受信することと、
前記モバイルデバイスを対象とする前記スクランブリングされたデータ変調シンボルを第２の方向から受信することと、
前記スクランブリングされたパイロット変調シンボルを前記第１の方向から受信することと実質的に同時に前記スクランブリングされたパイロット変調シンボルを前記第２の方向から受信することと
を備え、前記データ変調シンボルが、第１の基地局と少なくとも第２の基地局との間で調整された送信に関連して、前記モバイルデバイスで受信され、クラスタ固有スクランブリングが、前記第１の方向から受信する前、ならびに前記第２の方向から受信する前に、前記第１の基地局および前記第２の基地局によって適用される、方法。
【請求項３０】
前記クラスタ固有スクランブリングのためのスクランブリングコードを制御チャネル上で受信すること
をさらに備える、請求項２９に記載の方法。
【請求項３１】
前記第１の方向および前記第２の方向から受信する前に前記第１の基地局および前記第２の基地局によって適用されたユーザグループ固有スクランブリングを受信すること
をさらに備える、請求項２９に記載の方法。
【請求項３２】
前記パイロット変調シンボルを前記第１の方向および前記第２の方向から前記受信することが、時分割多重リソース、周波数分割多重リソース、符号分割多重リソース、またはそれらの組合せ上で前記パイロット変調シンボルを受信することを備える、請求項２９に記載の方法。
【請求項３３】
ワイヤレス通信装置であって、
スクランブリングされたデータ変調シンボルを第１の方向から受信することと、スクランブリングされたパイロット変調シンボルを前記第１の方向から受信することと、
前記スクランブリングされたパイロット変調シンボルを前記第１の方向から受信することと実質的に同時に前記スクランブリングされたデータ変調シンボルを第２の方向から受信することと、前記スクランブリングされたパイロット変調シンボルを前記第２の方向から受信することと
のための命令を保持するメモリであって、前記第１の方向から受信した前記スクランブリングされたデータ変調シンボルおよび前記スクランブリングされたパイロット変調シンボルが、前記第２の方向から前記スクランブリングされたデータ変調シンボルおよび前記スクランブリングされたパイロット変調シンボルを送信する少なくとも第２のノードと調整された第１のノードからのものであり、クラスタ固有スクランブリングが、前記第１の方向から受信する前、ならびに前記第２の方向から受信する前に、前記第１の基地局および前記第２の基地局によって適用される、メモリと、
前記メモリに結合されており、前記メモリ中に保持された命令を実行するように構成された、プロセッサと
を備えるワイヤレス通信装置。
【請求項３４】
前記メモリが、前記データ変調シンボルを前記第１の方向から受信する前にクラスタ固有スクランブリングコードを前記第１の方向から受信することに関係するさらなる命令を保持する、請求項３３に記載のワイヤレス通信装置。
【請求項３５】
前記メモリが、時分割多重リソース、周波数分割多重リソース、符号分割多重リソース、またはそれらの組合せ上で前記パイロット変調シンボルを受信することに関係するさらなる命令を保持する、請求項３３に記載のワイヤレス通信装置。
【請求項３６】
パイロット変調シンボルを含み、ならびに協調マルチポイントをサポートするために送信される専用基準信号を受信するワイヤレス通信装置であって、
スクランブリングされたデータ変調シンボルおよびスクランブリングされたパイロット変調シンボルを第１の方向から受信するための手段と、
前記スクランブリングされたデータ変調シンボルおよび前記スクランブリングされたパイロット変調シンボルを第２の方向から受信するための手段と
を備え、前記第１の方向と前記第２の方向が、少なくとも２つの基地局間で調整され、前記スクランブリングされたパイロット変調シンボルが、実質的に同時に前記第１の方向および前記第２の方向から受信され、クラスタ固有スクランブリングが、前記第１の方向から受信する前、ならびに前記第２の方向から受信する前に、前記第１の基地局および前記第２の基地局によって適用される、ワイヤレス通信装置。
【請求項３７】
前記データ変調シンボルおよび前記パイロット変調シンボルに適用されたクラスタ固有スクランブリングのためのスクランブリングコードを得るための手段と、
前記スクランブリングコードを用いて前記データ変調シンボルおよび前記パイロット変調シンボルを復号するための手段と
をさらに備える、請求項３６に記載のワイヤレス通信装置。
【請求項３８】
スクランブリングされたデータ変調シンボルおよびスクランブリングされたパイロット変調シンボルを第１の方向から受信することをコンピュータに行わせるための第１のコードのセットと、
前記スクランブリングされたデータ変調シンボルおよび前記スクランブリングされたパイロット変調シンボルを第２の方向から受信することを前記コンピュータに行わせるための第２のコードのセットと
を備え、前記第１の方向における送信と、前記第２の方向における送信とが、少なくとも２つの送信基地局間で同期をとられ、前記スクランブリングされたパイロット変調シンボルが、実質的に同時に前記第１の方向および前記第２の方向から受信され、クラスタ固有スクランブリングが、前記第１の方向から受信する前、ならびに前記第２の方向から受信する前に、前記第１の基地局および前記第２の基地局によって適用される、コンピュータ可読記憶媒体。
【請求項３９】
前記データ変調シンボルおよび前記パイロット変調シンボルに適用されたクラスタ固有スクランブリングのためのスクランブリングコードを受信することを前記コンピュータに行わせるための第３のコードのセットと、
前記スクランブリングコードを用いて前記データ変調シンボルおよび前記パイロット変調シンボルを復号することを前記コンピュータに行わせるための第４のコードのセットと
をさらに備える、請求項３８に記載のコンピュータ可読記憶媒体。
【請求項４０】
前記第１のコードのセットと前記第２のコードのセットとが、時分割多重リソース、周波数分割多重リソース、符号分割多重リソース、またはそれらの組合せ上で前記パイロット変調シンボルを受信することを前記コンピュータに行わせるためのものである、請求項３８に記載のコンピュータ可読記憶媒体。
【請求項４１】
パイロット変調シンボルを含み、ならびに協調マルチポイント受信をサポートするために送信される専用基準信号を利用するように構成された少なくとも１つのプロセッサであって、
スクランブリングされたデータ変調シンボルおよびスクランブリングされたパイロット変調シンボルを第１の方向から受信するための第１のモジュールと、
前記スクランブリングされたデータ変調シンボルおよび前記スクランブリングされたパイロット変調シンボルを第２の方向から受信するための第２のモジュールと
を備え、前記第１の方向における送信と、前記第２の方向における送信とが、少なくとも２つの送信基地局間で同期をとられ、前記スクランブリングされたパイロット変調シンボルが、実質的に同時に前記第１の方向および前記第２の方向から受信され、クラスタ固有スクランブリングが、前記第１の方向から受信する前、ならびに前記第２の方向から受信する前に、前記第１の基地局および前記第２の基地局によって適用される少なくとも１つのプロセッサ。
【請求項４２】
前記第１のモジュールおよび前記第２のモジュールが、時分割多重リソース、周波数分割多重リソース、符号分割多重リソース、またはそれらの組合せ上で前記パイロット変調シンボルを受信する、請求項４１に記載の少なくとも１つのプロセッサ。
【発明の詳細な説明】
【技術分野】
【０００１】
相互参照
本出願は、本出願の譲受人に譲渡され、その全体が参照により本明細書に明確に組み込まれる、２００８年８月１日に出願された「DEDICATED REFERENCE SIGNAL DESIGN FOR NETWORK MIMO」と題する仮出願第６１／０８５，７５９号の優先権を主張する出願である。
【０００２】
以下の説明は、一般に多入力多出力ネットワークにおける通信に関し、より詳細には、レイヤ固有チャネル化による分散基準信号（ＤＲＳ）の単一周波数ネットワーク（ＳＦＮ）送信に関する。
【背景技術】
【０００３】
ワイヤレス通信システムは、音声、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができ得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。高速なマルチメディアデータサービスの需要が急速に増大するにつれて、向上したパフォーマンスをもつ効率的でロバストな通信システムを実装することが課題となっている。
【０００４】
概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は、基地局から端末への通信リンクを指し、逆方向リンク（またはアップリンク）は、端末から基地局への通信リンクを指す。通信リンクは、単入力単出力（ＳＩＳＯ）システム、多入力単出力（ＭＩＳＯ）システム、または多入力多出力（ＭＩＭＯ）システムを介して確立でき得る。
【０００５】
ＭＩＭＯシステムは、データ送信用の複数（ＮT）個の送信アンテナおよび複数（ＮR）個の受信アンテナを使用する。ＮT個の送信アンテナとＮR個の受信アンテナとによって形成されるＭＩＭＯチャネルは、空間チャネルと呼ばれることもあるＮS個の独立チャネルに分解でき得、ここで、ＮS≦ｍｉｎ｛ＮT，ＮR｝である。ＮS個の独立チャネルの各々は１つの次元に対応する。複数の送信アンテナおよび受信アンテナによって作成された追加の次元数が利用された場合、ＭＩＭＯシステムは、改善されたパフォーマンス（たとえば、より高いスループット、より大きい信頼性など）を与えることができ得る。
【０００６】
ＭＩＭＯシステムは時分割複信（ＴＤＤ）システムおよび／または周波数分割複信（ＦＤＤ）システムをサポートする。ＴＤＤシステムでは、順方向リンク送信と逆方向リンク送信が同じ周波数領域上にあるので、相反定理により逆方向リンクチャネルから順方向リンクチャネルを推定することが可能である。これにより、複数のアンテナがアクセスポイントで利用可能なとき、アクセスポイントは順方向リンク上で送信ビームフォーミング利得を取り出すことが可能になる。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の態様およびその対応する開示に従って、レイヤ固有チャネル化による分散基準信号（ＤＲＳ）の単一周波数ネットワーク（ＳＦＮ）送信に関して様々な態様を説明する。追加または代替として、様々な態様は、（たとえば、ＴＤＭ、ＣＤＭ、ＦＤＭなどによる）複数の分散ＭＩＭＯ（Ｄ−ＭＩＭＯ）レイヤにわたるパイロットの直交化に関する。別の態様によれば、クラスタにわたる干渉をランダム化するために、クラスタまたはユーザグループ固有ＤＲＳスクランブリングを利用する。
【０００９】
一態様は、協調マルチポイント送信をサポートするための専用基準信号を使用するための、第１のワイヤレスデバイスによって実行される方法に関する。本方法は、第１のユーザデバイスへの第１のデータ変調シンボルの送信を第２のワイヤレスデバイスと調整することを含む。本方法はまた、第１のユーザデバイスを対象とする第１のデータ変調シンボルを第１の方向において送信することと、第１のパイロット変調シンボルを第１の方向において送信することとを含む。
【００１０】
別の態様は、メモリとプロセッサとを含むワイヤレス通信装置に関する。メモリは、第１のモバイルデバイスへの第１のデータ変調シンボルの送信について第２のワイヤレス通信装置との同期をとることに関係する命令を保持する。メモリはまた、第１の変調シンボルおよび第１のパイロット変調シンボルを第１の方向において送信することに関係する命令を保持する。プロセッサは、メモリに結合されており、メモリ中に保持された命令を実行するように構成される。
【００１１】
別の態様は、協調マルチポイント送信をサポートするための専用基準信号を利用するワイヤレス通信装置に関する。本ワイヤレス通信装置は、第１のデバイスへの第１のデータ変調シンボルと第２のデバイスへの第２のデータ変調シンボルとの送信を第２のワイヤレス通信装置と調整するための手段を含む。本ワイヤレス通信装置はまた、第１のデータ変調シンボルおよび第１のパイロット変調シンボルを第１の方向において送信するための手段と、第２のデータ変調シンボルおよび第２のパイロット変調シンボルを第２の方向において送信するための手段とを含む。
【００１２】
さらに別の態様は、コンピュータ可読媒体を備えるコンピュータプログラム製品に関する。コンピュータ可読媒体は、第１のモバイルデバイスへの第１のデータ変調シンボルの送信の同期をとることをコンピュータに行わせるためのコードの第１のセットを含む。コンピュータ可読媒体はまた、第１の変調シンボルおよび第１のパイロット変調シンボルを第１の方向において送信することをコンピュータに行わせるためのコードの第２のセットを含む。第２のワイヤレス通信装置との同期をとることは、協調ビームフォーミングを採用することを備える。
【００１３】
さらなる態様は、協調マルチポイント送信をサポートするための専用基準信号を利用するように構成された少なくとも１つのプロセッサに関する。本プロセッサは、第１のデバイスへの第１のデータ変調シンボルと第２のデバイスへの第２のデータ変調シンボルとの送信を調整するための第１のモジュールを含む。本プロセッサはまた、第１のデバイスを対象とする第１のデータ変調シンボルおよび第１のパイロット変調シンボルを第１の方向において送信するための第２のモジュールと、第２のデバイスを対象とする第２のデータ変調シンボルおよび第２のパイロット変調シンボルを第２の方向において送信するための第３のモジュールとを含む。
【００１４】
別の態様は、協調マルチポイントをサポートするための専用基準信号を受信するための、モバイルデバイスによって実行される方法に関する。本方法は、モバイルデバイスを対象とするデータ変調シンボルを第１の方向から受信することを含む。本方法はまた、パイロット変調シンボルを第１の方向から受信することを含む。モバイルデバイスにおけるデータ変調シンボルの受信は、第１の通信装置と少なくとも第２の通信装置との間で調整された。
【００１５】
別の態様は、メモリとプロセッサとを含むワイヤレス通信装置に関する。メモリは、データ変調シンボルを第１の方向から受信することと、パイロット変調シンボルを第１の方向から受信することとに関係する命令を保持する。第１の方向から受信したデータ変調シンボルおよびパイロット変調シンボルは、少なくとも第２のノードと調整された第１のノードからのものである。プロセッサは、メモリに結合されており、メモリ中に保持された命令を実行するように構成される。
【００１６】
さらなる態様は、協調マルチポイントをサポートするための専用基準信号を受信するワイヤレス通信装置に関する。本ワイヤレス通信装置は、データ変調シンボルおよびパイロット変調シンボルを第１の方向から受信するための手段を含む。本ワイヤレス通信装置はまた、データ変調シンボルおよびパイロット変調シンボルを第２の方向から受信するための手段を含む。第１の方向と第２の方向は、少なくとも２つのワイヤレスデバイス間で調整された。
【００１７】
別の態様は、コンピュータ可読媒体を備えるコンピュータプログラム製品に関する。コンピュータ可読媒体は、データ変調シンボルおよびパイロット変調シンボルを第１の方向から受信することをコンピュータに行わせるためのコードの第１のセットを含む。コンピュータ可読媒体はまた、データ変調シンボルおよびパイロット変調シンボルを第２の方向から受信することをコンピュータに行わせるためのコードの第２のセットを含む。
【００１８】
さらに別の態様は、協調マルチポイント受信をサポートするための専用基準信号を利用するように構成された少なくとも１つのプロセッサに関する。本プロセッサは、データ変調シンボルおよびパイロット変調シンボルを第１の方向から受信するための第１のモジュールを含む。本プロセッサはまた、データ変調シンボルおよびパイロット変調シンボルを第２の方向から受信するための第２のモジュールを含む。
【００１９】
上記および関連する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に示す。ただし、これらの特徴は、様々な態様の原理を採用することができ得る様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【図面の簡単な説明】
【００２０】
【図１】本明細書で提示する様々な態様によるワイヤレス通信システムを示す図。
【図２】一態様による、ネットワークＭＩＭＯをサポートするための専用基準信号を利用するシステムの概略図。
【図３】一態様による、ネットワークＭＩＭＯをサポートするための専用基準信号を利用するワイヤレス通信装置を示す図。
【図４】協調マルチポイントをサポートするための専用基準信号を受信するためのシステムを示す図。
【図５】一態様による、あるデバイスへの協調マルチポイント送信をサポートするための専用基準信号を使用するための方法を示す図。
【図６】一態様による、２つ以上のデバイスへの協調マルチポイント送信をサポートするための専用基準信号を使用するための方法を示す図。
【図７】協調マルチポイントをサポートするための専用基準信号を受信するための方法を示す図。
【図８】開示する態様のうちの１つまたは複数による、ネットワークＭＩＭＯのための専用基準信号の使用を可能にするシステムを示す図。
【図９】本明細書で提示する様々な態様による、ネットワークＭＩＭＯのための専用基準信号設計の利用を可能にするシステムを示す図。
【図１０】一態様による、協調マルチポイント送信をサポートするための専用基準信号を利用する例示的なシステムを示す図。
【図１１】一態様による、協調マルチポイントをサポートするための専用基準信号を受信する例示的なシステムを示す図。
【図１２】１つまたは複数の態様による多元接続ワイヤレス通信システムを示す図。
【図１３】様々な態様による例示的なワイヤレス通信システムを示す図。
【発明を実施するための形態】
【００２１】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施でき得ることは明らかであろう。他の例では、これらの態様の説明を円滑にするために、よく知られた構造およびデバイスはブロック図の形態で示す。
【００２２】
本出願で使用する「コンポーネント」、「モジュール」、「システム」などの用語は、コンピュータ関連のエンティティ、すなわち、ハードウェア、ファームウェア、ハードウェアとソフトウェアの組合せ、ソフトウェア、または実行中のソフトウェアのいずれかを指すものとする。たとえば、コンポーネントは、プロセッサ上で実行されるプロセス、プロセッサ、オブジェクト、実行可能ファイル、実行スレッド、プログラム、および／またはコンピュータとすることができ得るが、これらに限定されない。例として、コンピューティングデバイス上で実行されるアプリケーションと、そのコンピューティングデバイスの両方をコンポーネントとすることができる。１つまたは複数のコンポーネントがプロセスおよび／または実行スレッド内に常駐することができ、１つのコンポーネントを１つのコンピュータ上に配置し、および／または２つ以上のコンピュータ間に分散することができ得る。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム内の別のコンポーネントと対話する、および／またはインターネットなどのネットワーク上で信号を介して他のシステムと対話する、１つのコンポーネントからのデータ）を有する信号によるなど、ローカルプロセスおよび／またはリモートプロセスを介して通信することができ得る。
【００２３】
さらに、様々な態様について、モバイルデバイスに関して本明細書で説明する。モバイルデバイスは、システム、加入者ユニット、加入者局、移動局、モバイル、ワイヤレス端末、ノード、デバイス、リモート局、リモート端末、アクセス端末、ユーザ端末、端末、ワイヤレス通信デバイス、ワイヤレス通信装置、ユーザエージェント、ユーザデバイス、またはユーザ機器（ＵＥ）などと呼ばれることもあり、それらの機能の一部または全部を含むことができ得る。モバイルデバイスは、セルラー電話、コードレス電話、セッション開始プロトコル（ＳＩＰ）電話、スマートフォン、ワイヤレスローカルループ（ＷＬＬ）局、携帯情報端末（ＰＤＡ）、ラップトップ、ハンドヘルド通信デバイス、ハンドヘルドコンピューティングデバイス、衛星無線、ワイヤレスモデムカード、および／またはワイヤレスシステムを介して通信するための別の処理デバイスとすることができる。さらに、様々な態様について、基地局に関して本明細書で説明する。基地局は、（１つまたは複数の）ワイヤレス端末と通信するために利用でき得、アクセスポイント、ノード、ノードＢ、ｅノードＢ、ｅＮＢ、または何らかの他のネットワークエンティティと呼ばれることもあり、それらの機能の一部または全部を含むことができ得る。
【００２４】
様々な態様または特徴は、いくつかのデバイス、コンポーネント、モジュールなどを含むことができ得るシステムに関して提示される。様々なシステムは、追加のデバイス、コンポーネント、モジュールなどを含んでもよく、および／または各図に関連して論じるデバイス、コンポーネント、モジュールなどのすべてを含まなくてもよいことを理解および諒解されたい。これらの手法の組合せを使用することもでき得る。
【００２５】
さらに、「例示的」という単語（およびその変形）は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な方法で提示するものである。
【００２６】
図１を参照すると、本明細書で提示する様々な態様によるワイヤレス通信システム１００が示されている。システム１００は、互いにおよび／または１つまたは複数のモバイルデバイス１０４に対してワイヤレス通信信号の受信、送信、中継などを行う１つまたは複数のセクタ中に、１つまたは複数の基地局１０２を備えることができる。各基地局１０２は、複数の送信機チェーンおよび受信機チェーン（たとえば、送信アンテナおよび受信アンテナごとに１つ）を備えることができ、送信機チェーンおよび受信機チェーンの各々は、信号の送信および受信に関連する複数のコンポーネント（たとえば、プロセッサ、変調器、マルチプレクサ、復調器、デマルチプレクサ、アンテナなど）を備えることができる。各モバイルデバイス１０４は、多入力多出力（ＭＩＭＯ）システムのために利用できる１つまたは複数の送信機チェーンおよび受信機チェーンを備えることができる。各送信機チェーンおよび受信機チェーンは、当業者なら諒解するように、信号の送信および受信に関連する複数のコンポーネント（たとえば、プロセッサ、変調器、マルチプレクサ、復調器、デマルチプレクサ、アンテナなど）を備えることができる。
【００２７】
（分散ＭＩＭＯまたは協調マルチポイントとも呼ばれる）ネットワークＭＩＭＯでは、異なるセルが協調して、情報を１つまたは複数の受信機（たとえば、モバイルデバイス、基地局など）に送信する。たとえば、第１のセルが変調シンボル「ｘ」を第１のモバイルデバイスに送信し、第２のセルが変調シンボル「ｙ」を第２のモバイルデバイスに送信する代わりに、第１のセルはａｘ＋ｂｙを送信し、第２のセルはｃｘ＋ｄｙを送信することができる。係数ａ、ｂ、ｃ、およびｄは、第１のモバイルデバイスまたは第２のモバイルデバイスのいずれか（または両方）の信号対雑音比（ＳＮＲ）、システム容量など、いくつかのメトリクスを最適化するように選択できる。
【００２８】
モバイルデバイスから見て、これは、異なるレイヤが複数のアンテナから送信されていることに等しく、復号は、従来のＭＩＭＯシステムの復号と同様とすることができる。ただし、チャネル推定のために共通基準信号を使用する場合、モバイルデバイスは係数ａ、ｂ、ｃ、およびｄの値（たとえば、「ビーム方向」）を認識すべきである。これは、別個のメッセージ（たとえば、ＬＴＥにおけるパケットデータ制御チャネル（ＰＤＣＣＨ））を介してモバイルデバイスに搬送できる。しかしながら、これは、複数の基地局がそのビーム方向を示す必要があるので、費用がかかることが判明することがある。たとえば、３セル３ユーザシステムでは、（式３×３＝９に基づいて）合計９つのビーム方向をシグナリングする必要がある。その上、効率的な協調（たとえば、協調送信干渉ヌル化）を確実にするのを助けるために必要とされる利用可能なビーム方向の総数があまりに多く、制御メッセージごとのオーバーヘッドが極端に大きくなることがある。以下でさらに詳細に説明するように、開示する態様では、ネットワークＭＩＭＯ（または分散ＭＩＭＯまたは協調マルチポイント）をサポートするための専用基準信号（ＤＲＳ）を利用する。
【００２９】
図２に、一態様による、ネットワークＭＩＭＯをサポートするための専用基準信号を利用するシステム２００の概略図を示す。システム２００は、少なくとも第２のセル２０４と情報を通信する第１のセル２０２を含む。また、ワイヤレス通信装置２０２は、データを多数のモバイルデバイスに搬送することができ、そのうちの２つが、第１のモバイルデバイス２０６および第２のモバイルデバイス２０８として示されている。
【００３０】
従来のＭＩＭＯシステムには、複数のアンテナ（たとえば、２つのアンテナ）を有し、２つの異なる波形（たとえば、異なるビームフォーミングが適用された同じ波形）においてその２つのアンテナからデータを送信する、送信機（たとえば、第１のセル２０２）がある。ネットワークＭＩＭＯシステム（分散ＭＩＭＯシステム、協調マルチポイントシステム）は同様の概念を利用するが、異なるアンテナは、同じセルには属さず、異なるセル（たとえば、第１のセル２０２および第２のセル２０４）に属する。
【００３１】
たとえば、第１のセル２０２は、変調シンボル「ｘ」を（第１のセル２０２によってサービスされている）第１のモバイルデバイス２０６に送信し、第２のセル２０４は変調シンボル「ｙ」を第２のモバイルデバイス２０８に送信する。第１のセル２０２と第２のセル２０４は、バックホールリンク上でまたは何らかの他の方法で通信し、第１のモバイルデバイス２０６と第２のモバイルデバイス２０８との両方に一緒に送信することを決定する。したがって、第１のセル２０２は「ａｘ＋ｂｙ」を送信し、第２のセル２０４は「ｃｘ＋ｄｙ」を送信し、これらは、システム２００の信号対雑音比（ＳＮＲ）、システム容量、またはそれらの組合せなど、メトリクスを改善するために選択される係数である。
【００３２】
第１のモバイルデバイス２０６および第２のモバイルデバイス２０８から見ると、それらの信号は別様に復号されない。ただし、モバイルデバイス２０６、２０８は、第１のセル２０２および第２のセル２０４からのチャネルを推定することができるべきであり、値「ａ」、「ｂ」、「ｃ」および「ｄ」について通知されるべきである。したがって、これらの異なる係数は搬送する必要があり、それらの係数は、第１のセル２０２および第２のセル２０４によって選択されたビーム方向である。さらに、協調するより多くのセルがある場合、異なる方向の数は増加することがある（たとえば、オーバーヘッド）。
【００３３】
本明細書で提示する様々な態様によれば、第１のセル２０２および第２のセル２０４は、第１のモバイルデバイス２０４および第２のモバイルデバイス２０６から見ると、第１のモバイルデバイス２０４および第２のモバイルデバイス２０６への送信が単一のソースからのものであるように見えるように、その送信を調整する。２つのセルおよび２つのモバイルデバイスを参照しているが、本明細書で開示する様々な態様を利用するより多くの（またはより少ない）セルおよびより多くの（またはより少ない）モバイルデバイスがあってもよいことを理解されたい。
【００３４】
第１のセル２０２と第２のセル２０４との間の調整は、データ変調シンボルおよびパイロット変調シンボルが各モバイルデバイスに送信される方向を含むことができる。たとえば、調整により、第１のセル２０２が第１のデータ変調シンボルおよび第１のパイロット変調シンボルを第１の方向２１２において第１のモバイルデバイス２０６に送信することと、第２のセル２０４が第１のデータ変調シンボルおよび第１のパイロット変調シンボルを第２の方向２１４において第１のモバイルデバイス２０６に送信することとを指定することができる。
【００３５】
さらに、調整により、第１のセル２０２が第２のデータ変調シンボルおよび第２のパイロット変調シンボルを第３の方向２１６において第２のモバイルデバイス２０８に送信することと、第２のセル２０４が第２のデータ変調シンボルおよび第２のパイロット変調シンボルを第４の方向２１８において第２のモバイルデバイス２０８に送信することとを指定することができる。
【００３６】
図３に、一態様による、ネットワークＭＩＭＯをサポートするための専用基準信号を利用するシステム３００を示す。システム３００は、ネットワークＭＩＭＯをサポートするための専用基準信号を利用するワイヤレス通信装置３０２を含む。（第１のセルとも呼ばれる）ワイヤレス通信装置３０２と第２のセル３０４が、本明細書で説明するように、協調して通信を改善する。たとえば、第１のセル３０２と第２のセル３０４は、データを送信しているのと同じ方向（たとえば、あるモバイルデバイス）においてパイロットを送信することができる。たとえば、（図２の第１のセル２０２とすることができる）第１のセル３０２はパイロット変調シンボルｐを第１の方向（たとえば、方向「ａ」）において送信し、（たとえば、図２の第２のセル２０４とすることができる）第２のセル３０４は同じ変調シンボルを第２の方向（たとえば、方向「ｃ」）において送信することができる。そのパイロット変調シンボルは、方向（ｈ1ａ＋ｈ2ｃ）ｐにおいて、モバイルデバイス（たとえば、図２の第１のモバイルデバイス２０６）に関連するアンテナにおいて受信され、ここで、ｈ1およびｈ2は、第１のセル３０２および第２のセル３０４から受信機（たとえば、図２の第１のモバイルデバイス２０６）へのチャネルフェードである。同様にして、第２のパイロットシンボルｑが、方向「ｂ」において第１のセル３０２によって、および方向「ｄ」において第２のセル３０４によって、送信できる。この第２のパイロットシンボルｑにより、モバイルデバイスは（ｈ1ｂ＋ｈ2ｄ）を推定することができるようになる。
【００３７】
この態様によれば、ｘおよびｙが送信された場合、モバイルデバイスにおいて受信されるシンボルは（ｈ1ａ＋ｈ2ｃ）ｘ＋（ｈ1ｂ＋ｈ2ｄ）ｙである。その後、（ｈ1ａ＋ｈ2ｃ）および（ｈ1ｂ＋ｈ2ｄ）、ならびに他の受信機アンテナ（たとえば、第２のモバイルデバイス２０８）のための同様の係数が、パイロットから推定される。
【００３８】
いくつかの態様によれば、チャネル推定精度を改善するために、パイロットｐおよびｑを、直交するリソース上で送信する（たとえば、各Ｄ−ＭＩＭＯレイヤが、パイロットリソースのそれ自体のセットを有する）。直交するリソースは、時分割多重（ＴＤＭ）リソース、周波数分割多重（ＦＤＭ）リソース、符号分割多重（ＣＤＭ）リソース、またはそれらの組合せとすることができる。
【００３９】
同じパイロットリソースを利用する異なるセルクラスタ（たとえば、第１のセル３０２および第２のセル３０４対第３のセルおよび第４のセル）間のチャネルの混乱を緩和するために、クラスタ固有スクランブリングを適用することができ得る。代わりに、受信機グループ固有スクランブリングを適用することができ得る。スクランブリングコード情報は、制御チャネル上などで、あらかじめ決定するかまたは動的に変更し、モバイルデバイスに送信することができ得る。
【００４０】
ワイヤレス通信装置３０２は、第１のユーザデバイスへの第１のデータ変調シンボルの送信を第２のセル３０４と調整するように構成された同期コンポーネント３０６を含む。同期コンポーネント３０６は、第２のユーザデバイスへの第２のデータ変調シンボルの送信をも調整することができる。さらに、同期コンポーネント３０６は、後続のモバイルデバイスへの後続のデータ変調シンボルの送信を調整することができる。さらに、同期コンポーネント３０６は送信を他のセルと調整することができる。
【００４１】
ワイヤレス通信装置３０２中には、調整に基づいて第１のデータ変調シンボルおよび第１のパイロット変調シンボルを第１の方向において第１のユーザに搬送するように構成された送信機３０８も含まれる。送信機３０８はまた、調整に基づいて第２のデータ変調シンボルおよび第２のパイロット変調シンボルを第２の方向において第２のユーザに搬送するように構成される。さらに、送信機３０８は、調整に基づいて後続のデータ変調シンボルおよび後続のパイロット変調シンボルを他のユーザに搬送するように構成される。
【００４２】
第２のセル３０４は、調整に基づいて、第１のデータ変調シンボルおよび第１のパイロット変調シンボルを第３の方向において送信する。さらに、第２のセル３０４は、調整に基づいて、第２のデータ変調シンボルおよび第２のパイロット変調シンボルを第４の方向において送信する。
【００４３】
送信機３０８は、第１のパイロット変調シンボルを第１のレイヤ上で送信し、第２のパイロット変調シンボルを第２のレイヤ上で送信することができる。いくつかの態様によれば、送信機３０８は、第１のパイロット変調シンボルを第１の専用基準信号中に含めることができ、第２のパイロット変調シンボルを第２の専用基準信号中に含めることができる。第１の専用基準信号は第１のレイヤ上で送信でき、第２の専用基準信号は第２のレイヤ上で送信できる。第１のレイヤと第２のレイヤは相互に直交することができる。いくつかの態様によれば、第１の専用基準信号および第２の専用基準信号は物理ダウンリンク共有チャネル復調をターゲットにする。一態様によれば、第１の専用基準信号および第２の専用基準信号はプリコーディング動作によって処理される。別の態様によれば、第１の専用基準信号および第２の専用基準信号は、送信のためにワイヤレス通信装置３０２によってスケジュールされたリソースブロックおよびレイヤ中に含まれる。
【００４４】
いくつかの態様によれば、送信機３０８は、第１のパイロット変調シンボルおよび第２の変調シンボルを、直交するリソース上で搬送することができる。いくつかの態様によれば、第１のパイロット変調シンボルおよび第２のパイロット変調シンボルは、時分割多重リソース、周波数分割多重リソース、符号分割多重リソース、またはそれらの組合せ上で送信される。
【００４５】
さらに、ワイヤレス通信装置３０２は、送信機３０８が変調シンボルを第１の方向および第２の方向において搬送する前に、クラスタ固有スクランブリングを適用するように構成されたスクランブラコンポーネント３１０を含むことができる。クラスタ固有スクランブリングのためのスクランブリングコードはあらかじめ決定できる。いくつかの態様によれば、送信機３０８は、それぞれの制御チャネル上で、クラスタ固有スクランブリングのためのスクランブリングコードを第１のモバイルデバイスおよび第２のモバイルデバイスに搬送する。いくつかの態様によれば、送信機３０８がデータを第１の方向および第２の方向において搬送する前に、スクランブラコンポーネント３１０はユーザグループ固有スクランブリングを適用する。
【００４６】
いくつかの態様によれば、同期をとることに関係する命令が、協調ビームフォーミングを採用することに関係する命令を備える。協調ビームフォーミングでは、干渉セルが、特定のモバイルデバイスに対する干渉を最小限に抑えるビーム方向を選択する。たとえば、第１のセル３０２は２つの送信アンテナを有し、第２のセル３０４は２つの送信アンテナを有する。第２のセル３０４から、第１のセル３０２によってサービスされているモバイルデバイスへのチャネル係数が、「１」および「−１」であると仮定する。第２のセル３０４は、第１のアンテナ上では変調シンボル「ｘ」を送信し、第２のアンテナ上では変調シンボル「ｙ」を送信する。シンボルがモバイルデバイスにおいて受信されると、それらのシンボルは「１」＋「−１」として受信され、それは０に等しい。したがって、事実上、第２のセル３０４は第１のセル３０２からの送信に干渉していない。これを実行するために、第２のセル３０４は、第１のセル３０２によってサービスされているモバイルデバイスに生じる干渉を最小限に抑えるための、一定の係数「１」および「−１」を選択した。したがって、第２のセル３０４は、モバイルデバイスと直接通信していないが、モバイルデバイスの通信を改善するための第２のセル３０４の係数を選択している。
【００４７】
システム３００は、ワイヤレス通信装置３０２に動作可能に結合されたメモリ３１２を含むことができる。メモリ３１２は、ワイヤレス通信装置３０２の外部にあってもよく、ワイヤレス通信装置３０２の内部に常駐してもよい。メモリ３１２は、第１のモバイルデバイスへの第１のデータ変調シンボルの送信について第２のワイヤレス通信装置（たとえば、第２のセル３０４）との同期をとることと、第１の変調シンボルおよび第１のパイロット変調シンボルを第１の方向において送信することとに関係する情報を記憶することができる。第２のワイヤレス通信装置との同期をとることは、協調ビームフォーミングを採用することを含むことができる。
【００４８】
いくつかの態様によれば、メモリ３１２は、第１の方向において送信する前にクラスタ固有スクランブリングを適用することと、クラスタ固有スクランブリングのためのスクランブリングコードを第１のモバイルデバイスに搬送することとに関係するさらなる命令を保持する。別の態様によれば、メモリ３１２は、第２のモバイルデバイスへの第２のデータ変調シンボルの送信について第２のワイヤレス通信装置との同期をとることと、第２のデータ変調シンボルおよび第２のパイロット変調シンボルを第２の方向において送信することとに関係するさらなる命令を保持する。さらに、メモリ３１２は、時分割多重リソース、周波数分割多重リソース、符号分割多重リソース、またはそれらの組合せ上で第１のパイロット変調シンボルおよび第２のパイロット変調シンボルを送信することに関係するさらなる命令を保持する。
【００４９】
メモリ３１２は、通信ネットワークにおいて送信および受信された信号に関係する他の好適な情報をさらに記憶することができる。さらに、メモリ３１２は、ワイヤレス通信装置３０２と他のデバイスとの間の通信を制御するためのアクションを行う、専用基準信号に関連するプロトコルを記憶することができ、それにより、システム３００は、記憶されたプロトコルおよび／またはアルゴリズムを採用して、本明細書で説明するワイヤレスネットワークにおける改善された通信を達成することができるようになる。
【００５０】
ネットワークＭＩＭＯのための専用基準信号設計に関係する情報の分析を可能にするために、少なくとも１つのプロセッサ３１４が、ワイヤレス通信装置３０２（および／またはメモリ３１２）に動作可能に接続できる。プロセッサ３１４は、ワイヤレス通信装置３０２によって受信された情報の分析および／または生成に専用のプロセッサ、システム３００の１つまたは複数のコンポーネントを制御するプロセッサ、ならびに／あるいはワイヤレス通信装置３０２によって受信された情報の分析および生成と、システム３００の１つまたは複数のコンポーネントの制御との両方を行うプロセッサとすることができる。
【００５１】
いくつかの態様によれば、プロセッサ３１４は、協調マルチポイント送信をサポートするための専用基準信号を利用するように構成される。プロセッサ３１４は、第１のデバイスへの第１のデータ変調シンボルと第２のデバイスへの第２のデータ変調シンボルとの送信を調整するための第１のモジュールを含む。プロセッサ３１４はまた、第１のデバイスを対象とする第１のデータ変調シンボルおよび第１のパイロット変調シンボルを第１の方向において送信するための第２のモジュールを含む。さらに、プロセッサ３１４は、第２のデバイスを対象とする第２のデータ変調シンボルおよび第２のパイロット変調シンボルを第２の方向において送信するための第３のモジュールを含む。さらに、第２および第３のモジュールは、時分割多重リソース、周波数分割多重リソース、符号分割多重リソース、またはそれらの組合せ上で第１のパイロット変調シンボルおよび第２のパイロット変調シンボルを送信することができる。
【００５２】
上記で図示し説明した例示的なシステムに鑑みて、開示する主題に従って実装でき得る方法は、以下のフローチャートを参照すればより良く諒解されよう。説明を簡単にするために、方法を一連のブロックとして図示し説明するが、いくつかのブロックは、本明細書で図示し説明する順序とは異なる順序で、および／または他のブロックとほぼ同時に行われるので、請求する主題はブロックの数または順序によって限定されないことを理解し、諒解されたい。さらに、本明細書に記載の方法を実装するために、図示したすべてのブロックが必要とされるわけではない。ブロックに関連する機能は、ソフトウェア、ハードウェア、それらの組合せまたは他の好適な手段（たとえば、デバイス、システム、プロセス、コンポーネント）によって実装でき得ることを諒解されたい。さらに、以下および本明細書の全体にわたって開示する方法は、そのような方法を様々なデバイスに移送および転送することを可能にする製造品に記憶することが可能であることをさらに諒解されたい。方法は、状態図などで、一連の相互に関連する状態またはイベントとして代替的に表現できることを、当業者なら理解し、諒解するであろう。
【００５３】
図４に、協調マルチポイントをサポートするための専用基準信号を受信するためのシステム４００を示す。システム４００は、第１のワイヤレスデバイス４０４と少なくとも第２のワイヤレスデバイス４０６とから変調信号を受信するように構成された（ユーザデバイスと呼ばれることがある）ワイヤレス通信装置４０２を含む。
【００５４】
ワイヤレス通信装置４０２中には、データ変調シンボルおよびパイロット変調シンボルを第１の方向４１０から受信するように構成された第１の方向受信機コンポーネント４０８が含まれる。第１のワイヤレスデバイス４０４は、データ変調シンボルおよびパイロット変調シンボルを第１の方向４１０において送信した。
【００５５】
ワイヤレス通信装置４０２中には、データ変調シンボルおよびパイロット変調シンボルを少なくとも第２の方向４１４から受信するように構成された第２の方向受信機コンポーネント４１２も含まれる。第２のワイヤレスデバイス４０６は、データ変調シンボルおよびパイロット変調シンボルを第２の方向４１４において送信した。さらに、第１のワイヤレスデバイス４０４および第２のワイヤレスデバイス４０６は、データ変調シンボルおよびパイロット変調シンボルのそれらのワイヤレスデバイスのそれぞれの送信を調整した。パイロット変調シンボルは、時分割多重リソース、周波数分割多重リソース、符号分割多重リソース、またはそれらの組合せ上で受信できる。
【００５６】
さらに、ワイヤレス通信装置４０２は、クラスタ固有スクランブリングのためのスクランブリングコードを得るように構成されたスクランブリングコードコンポーネント４１６を含む。クラスタ固有スクランブリングは、第１のワイヤレスデバイス４０４および第２のワイヤレスデバイス４０６によってデータ変調シンボルおよびパイロット変調シンボルに適用できる。復号コンポーネント４１８が、スクランブリングコードを用いてデータ変調シンボルおよびパイロット変調シンボルを復号するように構成される。いくつかの態様によれば、スクランブリングコードコンポーネント４１６は、第１のワイヤレスデバイス４０４および第２のワイヤレスデバイス４０６によってデータ変調シンボルおよびパイロット変調シンボルに適用できるユーザグループ固有スクランブリングを受信する。
【００５７】
システム４００は、ワイヤレス通信装置４０２に動作可能に結合されたメモリ４２０を含むことができる。メモリ４２０は、ワイヤレス通信装置４０２の外部にあってもよく、ワイヤレス通信装置４０２の内部に常駐してもよい。メモリ４２０は、データ変調シンボルを第１の方向４１０から受信することと、パイロット変調シンボルを第１の方向４１０から受信することとに関係する情報を記憶することができる。第１の方向４１０から受信したデータ変調シンボルおよびパイロット変調シンボルは、送信を第２のワイヤレスデバイス４０６と調整した第１のワイヤレスデバイス４０４からのものである。いくつかの態様によれば、メモリ４２０は、データ変調シンボルを受信する前にクラスタ固有スクランブリングコードを第１の方向４１０から受信することに関係するさらなる命令を保持する。
【００５８】
いくつかの態様によれば、メモリ４２０は、データ変調シンボルを第２の方向４１４から受信することと、パイロット変調シンボルを第２の方向４１４から受信することとに関係するさらなる命令を保持する。第２の方向４１４から受信したデータ変調シンボルおよびパイロット変調シンボルは、第２のワイヤレスデバイス４０６からのものである。様々な態様によれば、パイロット変調シンボルは、時分割多重リソース、周波数分割多重リソース、符号分割多重リソース、またはそれらの組合せ上で受信される。
【００５９】
いくつかの態様によれば、メモリ４２０は、第１のワイヤレスデバイス４０４および第２のワイヤレスデバイス４０６によって適用されるクラスタ固有スクランブリングのためのスクランブリングコードを制御チャネル上で受信することに関係するさらなる命令を保持する。別の態様では、メモリ４２０は、第１のワイヤレスデバイス４０４および第２のワイヤレスデバイス４０４によって適用されるユーザグループ固有スクランブリングを受信することに関係するさらなる命令を保持する。
【００６０】
メモリ４２０は、通信ネットワークにおいて送信および受信された信号に関係する他の好適な情報をさらに記憶することができる。さらに、メモリ４２０は、第１のモバイルデバイス４０４、第２のモバイルデバイス４０６、および他のデバイスとの通信を制御するためのアクションを行う、専用基準信号に関連するプロトコルを記憶することができ、それにより、システム４００は、記憶されたプロトコルおよび／またはアルゴリズムを採用して、本明細書で説明するワイヤレスネットワークにおける改善された通信を達成することができる。
【００６１】
ネットワークＭＩＭＯのための専用基準信号設計に関係する情報の分析を可能にするために、少なくとも１つのプロセッサ４２２が、ワイヤレス通信装置４０２（および／またはメモリ４２０）に動作可能に接続できる。プロセッサ４２２は、ワイヤレス通信装置４０２によって受信された情報の分析および／または生成に専用のプロセッサ、システム４００の１つまたは複数のコンポーネントを制御するプロセッサ、ならびに／あるいはワイヤレス通信装置４０２によって受信された情報の分析および生成と、システム４００の１つまたは複数のコンポーネントの制御との両方を行うプロセッサとすることができる。
【００６２】
いくつかの態様によれば、プロセッサ４２２は、協調マルチポイント送信をサポートするための専用基準信号を利用するように構成される。プロセッサ４２２は、データ変調シンボルおよびパイロット変調シンボルを第１の方向４１０から受信するための第１のモジュールを含む。プロセッサ４２２はまた、データ変調シンボルおよびパイロット変調シンボルを第２の方向４１４から受信するための第２のモジュールを含む。さらに、第１のモジュールおよび第２のモジュールは、時分割多重リソース、周波数分割多重リソース、符号分割多重リソース、またはそれらの組合せ上でパイロット変調シンボルを受信することができる。
【００６３】
図５に、一態様による、あるデバイスへの協調マルチポイント送信をサポートするための専用基準信号を使用するための方法５００を示す。方法５００は第１のセルによって実行できる。５０２において、第１のセルは、ユーザデバイスへのデータ変調シンボルの送信を調整する。その送信は、第２のセル（またはより多くのセル）と調整できる。第２のセルとの調整は、協調ビームフォーミングを採用することを含むことができる。５０４において、データ変調シンボルを第１の方向において送信する。データ変調シンボルはユーザデバイスを対象とする。５０６において、パイロット変調シンボルを第１の方向において送信する。第１の方向は、５０２における調整に応じて判断できる。
【００６４】
いくつかの態様によれば、方法５００は、第１のセルが第１の方向および第２の方向において送信する前に、クラスタ固有スクランブリングを適用することを含むことができる。クラスタ固有スクランブリングのためのスクランブリングコードはあらかじめ決定できる。いくつかの態様によれば、方法５００は、それぞれの制御チャネル上で、クラスタ固有スクランブリングのためのスクランブリングコードを第１のユーザデバイスおよび第２のユーザデバイスに搬送することを含む。さらに、いくつかの態様によれば、方法５００は、第１の方向において送信し第２の方向において送信する前にユーザグループ固有スクランブリングを適用することを含む。
【００６５】
様々な態様によれば、第２のセルは、調整に応じて、ユーザデバイスを対象とするデータ変調シンボルを第２の方向において送信することができる。第２のセルはまた、パイロット変調シンボルを第２の方向において送信することができる。
【００６６】
図６に、一態様による、２つ以上のデバイスへの協調マルチポイント送信をサポートするための専用基準信号を使用するための方法６００を示す。方法６００は第１のセルによって実行できる。方法６００は６０２において開始し、第１のユーザへの第１のデータ変調シンボルの送信を、本明細書では第２のセルと呼ばれる、１つまたは複数の他のセルと調整する。６０４において、第２のユーザデバイスへの第２のデータ変調シンボルの送信を第２のセルと調整する。６０６において、第１のユーザデバイスを対象とする第１のデータ変調シンボルを第１の方向において送信する。６０８において、第１のパイロット変調シンボルを第１の方向において送信する。６１０において、第２のデバイスを対象とする第２のデータ変調シンボルを第２の方向において送信する。６１２において、第２のパイロット変調シンボルを第２の方向において送信する。
【００６７】
第２のセルは、調整に基づいて、第３の方向において、第１のユーザを対象とする第１のデータ変調シンボルを送信し、第１のパイロット変調シンボルを送信する。さらに、第２のセルは、調整に基づいて、第４の方向において、第２のユーザデバイスを対象とする第２のデータ変調シンボルを送信し、第２のパイロット変調シンボルを送信する。
【００６８】
いくつかの態様によれば、第１のパイロット変調シンボルは第１のレイヤ上で送信され、第２のパイロット変調シンボルは第２のレイヤ上で送信される。さらに、方法６００は、第１のパイロット変調シンボルを第１の専用基準信号中に含め、第２のパイロット変調シンボルを第２の専用基準信号中に含めることを備えることができる。第１の専用基準信号は第１のレイヤ上で送信でき、第２の専用基準信号は第２のレイヤ上で送信できる。第１のレイヤと第２のレイヤは相互に直交する。代替的に、第１のパイロット変調シンボルおよび第２のパイロット変調シンボルを送信することは、第１のパイロット変調シンボルおよび第２のパイロット変調シンボルを、直交するリソース上で送信することを含む。
【００６９】
様々な態様によれば、送信することは、時分割多重リソース、周波数分割多重リソース、符号分割多重リソース、またはそれらの組合せ上で第１のパイロット変調シンボルおよび第２のパイロット変調シンボルを送信することを含むことができる。
【００７０】
別の態様によれば、方法６００は、第１のパイロット変調シンボルを第１の専用基準信号中に含め、第２のパイロット変調シンボルを第２の専用基準信号中に含めることを備えることができる。第１の専用基準信号および第２の専用基準信号は、物理ダウンリンク共有チャネル復調をターゲットにする。
【００７１】
いくつかの態様によれば、方法６００は、プリコーディング動作によって第１の専用基準信号および第２の専用基準信号を処理することを含む。代替的に、方法６００は、送信のために第１のセルによってスケジュールされたリソースブロックおよびレイヤ中に第１の専用基準信号および第２の専用基準信号を含めることを備える。
【００７２】
いくつかの態様によれば、コンピュータプログラム製品が、方法５００、６００の様々な態様を実行するためのコードを備えるコンピュータ可読媒体を含むことができる。コンピュータ可読媒体は、第１のモバイルデバイスへの第１のデータ変調シンボルの送信の同期をとることをコンピュータに行わせるためのコードの第１のセットを含むことができる。コンピュータ可読媒体はまた、第１の変調シンボルおよび第１のパイロット変調シンボルを第１の方向において送信することをコンピュータに行わせるためのコードの第２のセットを含むことができる。第２のワイヤレス通信装置との同期をとることは、協調ビームフォーミングを採用することを備える。
【００７３】
いくつかの態様によれば、コンピュータ可読媒体はまた、第１の方向において送信する前にクラスタ固有スクランブリングを適用することをコンピュータに行わせるためのコードの第３のセットと、クラスタ固有スクランブリングのためのスクランブリングコードを第１のモバイルデバイスに搬送することをコンピュータに行わせるためのコードの第４のセットとを含む。いくつかの態様によれば、コンピュータ可読媒体は、第２のモバイルデバイスへの第２のデータ変調シンボルの送信の同期をとることをコンピュータに行わせるためのコードの第３のセットと、第２のデータ変調シンボルおよび第２のパイロット変調シンボルを第２の方向において送信することをコンピュータに行わせるためのコードの第４のセットとを含む。
【００７４】
図７に、協調マルチポイントをサポートするための専用基準信号を受信するための方法を示す。方法７００はユーザデバイスによって実行できる。方法７００は７０２において開始し、データ変調シンボルを第１の方向から受信する。データ変調シンボルはユーザデバイスを対象とする。７０４において、パイロット変調シンボルを第１の方向から受信する。ユーザデバイスにおけるデータ変調の受信は、第１の通信装置と少なくとも第２の通信装置との間で調整された。
【００７５】
いくつかの態様によれば、方法７００は続いて７０６において、モバイルデバイスを対象とするデータ変調シンボルを受信する。データ変調シンボルは第２の方向から受信される。７０８において、パイロット変調シンボルを第２の方向から受信する。データ変調シンボルおよびパイロット変調シンボルは、第１の通信装置からは第１の方向から受信され、第２の通信装置からは第２の方向から受信される。受信することは、時分割多重リソース、周波数分割多重リソース、符号分割多重リソース、またはそれらの組合せ上でパイロット変調シンボルを受信することを含むことができる。
【００７６】
いくつかの態様によれば、方法７００は、ユーザグループ固有スクランブリングを受信することを含むことができる。ユーザグループ固有スクランブリングは、第１の方向から受信し第２の方向から受信する前に第１のワイヤレス通信装置および第２のワイヤレス通信装置によって適用される。別の態様によれば、方法７００は、第１の方向および第２の方向から受信する前に第１のワイヤレス通信装置および第２のワイヤレス通信装置によって適用されるクラスタ固有スクランブリングのためのスクランブリングコードを制御チャネル上で受信することを含むことができる。
【００７７】
次に図８を参照すると、開示する態様のうちの１つまたは複数による、ネットワークＭＩＭＯのための専用基準信号の使用を可能にするシステム８００が示されている。システム８００は、ユーザデバイス中に常駐することができる。システム８００は、たとえば、受信機アンテナから信号を受信することができる受信機コンポーネント８０２を備える。受信機コンポーネント８０２は、受信信号に対して、フィルタ処理、増幅、ダウンコンバートなどの典型的なアクションを実行することができる。受信機コンポーネント８０２はまた、調整された（conditioned）信号をデジタル化して、サンプルを得ることができる。復調器８０４は、シンボル期間ごとに受信シンボルを得て、ならびに受信シンボルをプロセッサ８０６に供給することができる。
【００７８】
プロセッサ８０６は、受信機コンポーネント８０２によって受信された情報の分析および／または送信機８０８による送信のための情報の生成に専用のプロセッサとすることができる。追加または代替として、プロセッサ８０６は、ユーザデバイス８００の１つまたは複数のコンポーネントを制御し、受信機コンポーネント８０２によって受信された情報を分析し、送信機８０８による送信のための情報を生成し、および／またはユーザデバイス８００の１つまたは複数のコンポーネントを制御することができる。プロセッサ８０６は、追加のユーザデバイスとの通信を調整することが可能なコントローラコンポーネントを含むことができ得る。
【００７９】
ユーザデバイス８００は、プロセッサ８０６に動作可能に結合されたメモリ８１０をさらに備えることができる。メモリ８１０は、通信を調整することに関係する情報と、任意の他の好適な情報とを記憶することができる。メモリ８１０は、専用基準信号に関連するプロトコルをさらに記憶することができる。本明細書で説明するデータストア（たとえば、メモリ）コンポーネントは、揮発性メモリまたは不揮発性メモリのいずれかとすることができ、あるいは揮発性メモリと不揮発性メモリの両方を含むことができることが諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。開示する態様のメモリ８１０は、これらおよび他の適切なタイプのメモリを、これらに限定されることなく、備えるものとする。ユーザデバイス８００はシンボル変調器８１２をさらに備えることができ、送信機８０８は変調信号を送信する。
【００８０】
受信機コンポーネント８０２は、受信した変調シンボルを計算するように構成された推定コンポーネント８１４にさらに動作可能に結合される。たとえば、変調シンボル「ｘ」および変調シンボル「ｙ」が受信される場合、受信されるシンボル（雑音がない場合）は、（ｈ1ａ＋ｈ2ｃ）ｘ＋（ｈ1ｂ＋ｈ2ｄ）ｙである。その後、（ｈ1ａ＋ｈ2ｃ）および（ｈ1ｂ＋ｈ2ｄ）、ならびに他の受信機アンテナ（たとえば、第２のモバイルデバイス）のための同様の係数が、パイロットから推定される。いくつかの態様によれば、適切な受信機を利用して、たとえば、ＭＭＳＥ受信機またはＳＩＣ受信機を使用して、「ｘ」（または「ｙ」）を推定する。
【００８１】
さらに、受信機コンポーネント８０２は、クラスタ固有スクランブリングのためのスクランブリングコードを受信するように構成された逆スクランブルコンポーネント８１６に動作可能に結合できる。スクランブリングコードは、受信データを解釈するために逆スクランブルコンポーネント８１６によってそのデータに適用される。
【００８２】
図９は、本明細書で提示する様々な態様による、ネットワークＭＩＭＯのための専用基準信号設計の利用を可能にするシステム９００の図である。システム９００は、基地局またはアクセスポイント９０２を備える。図示のように、基地局９０２は、受信アンテナ９０６によって１つまたは複数の通信デバイス９０４（たとえば、ユーザデバイス）から（１つまたは複数の）信号を受信し、送信アンテナ９０８を介して１つまたは複数の通信デバイス９０４に送信する。
【００８３】
基地局９０２は、受信アンテナ９０６から情報を受信し、受信情報を復調する復調器９１２に動作可能に結合された、受信機９１０を備える。復調されたシンボルはプロセッサ９１４によって分析され、プロセッサ９１４は、協調マルチポイント送信をサポートするための専用基準信号を使用することに関係する情報を記憶するメモリ９１６に結合される。変調器９１８が、送信機９２０による送信アンテナ９０８を介した通信デバイス９０４への送信のために信号を多重化することができる。
【００８４】
プロセッサ９１４は、デバイスへのデータ変調シンボルおよびパイロット変調シンボルの送信を管理するために、異なるセルにおいて、他の基地局と対話するように構成された調整コンポーネント９２２にさらに結合される。その対話は、変調シンボルを送信するために利用すべきルートまたは方向を判断することを含むことができる。
【００８５】
図１０を参照すると、一態様による、協調マルチポイント送信をサポートするための専用基準信号を利用する例示的なシステム１０００が示されている。システム１０００は少なくとも部分的にセル（たとえば、ワイヤレス通信装置）内に常駐することができ得る。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができ得ることを諒解されたい。
【００８６】
システム１０００は、個別にまたは連携して動作することができる電気的コンポーネントの論理グルーピング１００２を含む。論理グルーピング１００２は、第１のデバイスへの第１のデータ変調シンボルと第２のデバイスへの第２のデータ変調シンボルとの送信を少なくとも第２のセル（または少なくとも第２のワイヤレス通信装置）と調整するための電気的コンポーネント１００４を含むことができ得る。いくつかの態様によれば、その調整は、協調ビームフォーミングを採用することを含む。論理グルーピング１００２中には、第１のデータ変調シンボルおよび第１のパイロット変調シンボルを第１の方向において送信するための電気的コンポーネント１００６も含まれる。さらに、論理グルーピング１００２は、第２のデータ変調シンボルおよび第２のパイロット変調シンボルを第２の方向において送信するための電気的コンポーネント１００８を含む。第１のパイロット変調シンボルおよび第２のパイロット変調シンボルは、時分割多重リソース、周波数分割多重リソース、符号分割多重リソース、またはそれらの組合せ上で送信できる。
【００８７】
いくつかの態様によれば、第１の方向において送信するための電気的コンポーネント１００６は、第１のパイロット変調シンボルを第１のレイヤ上で送信し、第２の方向において送信するための電気的コンポーネント１００８は、第２のパイロット変調シンボルを第２のレイヤ上で送信する。
【００８８】
さらに、論理グルーピング１００２は、第１のパイロット変調シンボルを第１の専用基準信号中に挿入し、第２のパイロット変調シンボルを第２の専用基準信号中に挿入するための電気的コンポーネント１０１０を含むことができる。第１の方向において送信するための電気的コンポーネント１００６は、第１の専用基準信号を第１のレイヤ上で送信し、第２の方向において送信するための電気的コンポーネント１００８は、第２の専用基準信号を第２のレイヤ上で送信する。第１のレイヤと第２のレイヤは相互に直交する。
【００８９】
代替または追加として、論理グルーピング１００２は、クラスタ固有スクランブリングを適用するための電気的コンポーネント１０１２を含む。クラスタ固有スクランブリングのためのスクランブリングコードはあらかじめ決定できる。論理グルーピング１００２はまた、スクランブリングコードを第１のデバイスおよび第２のデバイスに送信するための電気的コンポーネント１０１４を含むことができる。
【００９０】
さらに、システム１０００は、電気的コンポーネント１００４、１００６、１００８、１０１０、１０１２、および１０１４、または他のコンポーネントに関連付けられた機能を実行するための命令を保持するメモリ１０１６を含むことができる。メモリ１０１６の外部にあるものとして示されているが、電気的コンポーネント１００４、１００６、１００８、１０１０、１０１２、および１０１４の１つまたは複数は、メモリ１０１６の内部に存在することができ得ることを理解されたい。
【００９１】
図１１に、一態様による、協調マルチポイントをサポートするための専用基準信号を受信する例示的なシステム１１００を示す。システム１１００は少なくとも部分的にユーザデバイス内に常駐することができ得る。システム１１００は機能ブロックを含むものとして表されており、その機能ブロックは、プロセッサ、ソフトウェア、またはそれらの組合せ（たとえば、ファームウェア）によって実装される機能を表す機能ブロックとすることができ得ることを諒解されたい。
【００９２】
システム１１００は、個別にまたは連携して動作することができる電気的コンポーネントの論理グルーピング１１０２を含む。論理グルーピング１１０２は、データ変調シンボルおよびパイロット変調シンボルを第１の方向から受信するための電気的コンポーネント１１０４を含むことができ得る。論理グルーピング１１０２中には、データ変調シンボルおよびパイロット変調シンボルを第２の方向から受信するための電気的コンポーネント１１０６も含まれる。第１の方向と第２の方向は、少なくとも２つのワイヤレスデバイス（たとえば、セル）間で調整された。
【００９３】
いくつかの態様によれば、論理グルーピング１１０２は、データ変調シンボルおよびパイロット変調シンボルに適用されるクラスタ固有スクランブリングのためのスクランブリングコードを得るための電気的コンポーネント１１０８を含む。論理グルーピング１１０２中には、スクランブリングコードを用いてデータ変調シンボルおよびパイロット変調シンボルを復号するための電気的コンポーネント１１１０をも含めることができる。
【００９４】
さらに、システム１１００は、電気的コンポーネント１１０４、１１０６、１１０８、および１１１０、または他のコンポーネントに関連付けられた機能を実行するための命令を保持するメモリ１１１６を含むことができる。メモリ１１１６の外部にあるものとして示されているが、電気的コンポーネント１１０４、１１０６、１１０８、および１１１０の１つまたは複数は、メモリ１１１６の内部に存在することができ得ることを理解されたい。
【００９５】
次に図１２を参照すると、１つまたは複数の態様による多元接続ワイヤレス通信システム１２００が示されている。ワイヤレス通信システム１２００は、１つまたは複数のユーザデバイスと接触する１つまたは複数の基地局を含むことができる。各基地局は複数のセクタにカバレージを与える。複数のアンテナグループを含む３セクタ基地局１２０２が示されており、１つめのアンテナグループはアンテナ１２０４および１２０６を含み、別のアンテナグループはアンテナ１２０８および１２１０を含み、３つめのアンテナグループはアンテナ１２１２および１２１４を含む。図によれば、アンテナグループごとに２つのアンテナのみが示されているが、アンテナグループごとにより多いまたはより少ないアンテナが利用でき得る。モバイルデバイス１２１６は、アンテナ１２１２および１２１４と通信しており、アンテナ１２１２および１２１４は、順方向リンク１２１８を介して情報をモバイルデバイス１２１６に送信し、逆方向リンク１２２０を介してモバイルデバイス１２１６から情報を受信する。順方向リンク（またはダウンリンク）は基地局からモバイルデバイスへの通信リンクを指し、逆方向リンク（またはアップリンク）はモバイルデバイスから基地局への通信リンクを指す。モバイルデバイス１２２２は、アンテナ１２０４および１２０６と通信しており、アンテナ１２０４および１２０６は、順方向リンク１２２４を介して情報をモバイルデバイス１２２２に送信し、逆方向リンク１２２６を介してモバイルデバイス１２２２から情報を受信する。たとえば、ＦＤＤシステムでは、通信リンク１２１８、１２２０、１２２４、および１２２６は、通信のための異なる周波数を利用することができる。たとえば、順方向リンク１２１８は、逆方向リンク１２２０によって利用される周波数とは異なる周波数を使用することができる。
【００９６】
アンテナの各グループおよび／またはそれらが通信するように指定されたエリアを、基地局１２０２のセクタと呼ぶことができ得る。１つまたは複数の態様では、アンテナグループはそれぞれ、基地局１２０２によってカバーされるセクタまたはエリア中でモバイルデバイスに通信するように設計される。基地局は、端末と通信するために使用される固定局とすることができ得る。
【００９７】
順方向リンク１２１８および１２２４を介した通信では、基地局１２０２の送信アンテナは、ビームフォーミングを利用して、異なるモバイルデバイス１２１６および１２２２についての順方向リンクの信号対雑音比を向上させることができる。また、基地局がビームフォーミングを利用してそのカバレージエリア中にランダムに散在するモバイルデバイスに送信すると、基地局が単一のアンテナを介してそのカバレージエリア中のすべてのモバイルデバイスに送信することによって生じる干渉よりも、隣接セル中のモバイルデバイスへの干渉が小さくなる。
【００９８】
図１３に、様々な態様による例示的なワイヤレス通信システム１３００を示す。ワイヤレス通信システム１３００には、簡潔のために、１つの基地局と、１つの端末とを示してある。ただし、システム１３００は２つ以上の基地局またはアクセスポイントおよび／あるいは２つ以上の端末またはユーザデバイスを含むことができ、追加の基地局および／または端末は、以下で説明する例示的な基地局および端末と実質的に同様または異なるものとすることができることを諒解されたい。さらに、基地局および／または端末は、それらの間のワイヤレス通信を可能にするために、本明細書で説明する様々な態様を採用することができることを諒解されたい。
【００９９】
次に図１３を参照すると、ダウンリンク上で、アクセスポイント１３０５において、送信（ＴＸ）データプロセッサ１３１０は、トラフィックデータを受信、フォーマッティング、コーディング、インターリーブ、および変調（またはシンボルマッピング）し、変調シンボル（「データシンボル」）を与える。シンボル変調器１３１５は、データシンボルおよびパイロットシンボルを受信し、処理し、シンボルのストリームを与える。シンボル変調器１３１５は、データおよびパイロットシンボルを多重化し、Ｎ個の送信シンボルのセットを得る。各送信シンボルは、データシンボル、パイロットシンボル、または信号値０とすることができ得る。パイロットシンボルを、各シンボル期間中に継続的に送信することができ得る。パイロットシンボルは、周波数分割多重化（ＦＤＭ）、直交周波数分割多重化（ＯＦＤＭ）、時分割多重化（ＴＤＭ）、周波数分割多重化（ＦＤＭ）、または符号分割多重化（ＣＤＭ）できる。
【０１００】
送信機ユニット（ＴＭＴＲ）１３２０は、シンボルのストリームを受信し、１つまたは複数のアナログ信号に変換し、アナログ信号をさらに調整（condition）（たとえば、増幅、フィルタ処理、および周波数アップコンバート）して、ワイヤレスチャネル上での送信に好適なダウンリンク信号を生成する。次いで、ダウンリンク信号は、アンテナ１３２５を介して端末に送信される。端末１３３０において、アンテナ１３３５は、ダウンリンク信号を受信し、受信信号を受信機ユニット（ＲＣＶＲ）１３４０に供給する。受信機ユニット１３４０は、受信信号を調整（たとえば、フィルタ処理、増幅、および周波数ダウンコンバート）し、調整された信号をデジタル化して、サンプルを得る。シンボル復調器１３４５は、Ｎ個の受信シンボルを得て、チャネル推定のために受信パイロットシンボルをプロセッサ１３５０に供給する。シンボル復調器１３４５は、プロセッサ１３５０からダウンリンクに関する周波数応答推定値をさらに受信し、受信データシンボルに対してデータ復調を実行して（送信データシンボルの推定値である）データシンボル推定値を得て、データシンボル推定値をＲＸデータプロセッサ１３５５に供給し、ＲＸデータプロセッサ１３５５は、データシンボル推定値を復調（たとえば、シンボルデマッピング）、デインターリーブ、および復号して送信トラフィックデータを復元する。シンボル復調器１３４５およびＲＸデータプロセッサ１３５５による処理は、アクセスポイント１３０５における、それぞれ、シンボル変調器１３１５およびＴＸデータプロセッサ１３１０による処理を補足するものである。
【０１０１】
アップリンク上で、ＴＸデータプロセッサ１３６０が、トラフィックデータを処理し、データシンボルを供給する。シンボル変調器１３６５は、データシンボルを受信し、パイロットシンボルと多重化し、変調を実行し、シンボルのストリームを供給する。次いで、送信機ユニット１３７０は、シンボルのストリームを受信および処理して、アンテナ１３３５によってアクセスポイント１３０５に送信されるアップリンク信号を生成する。
【０１０２】
アクセスポイント１３０５において、端末１３３０からのアップリンク信号がアンテナ１３２５によって受信され、受信機ユニット１３７５によって処理されて、サンプルを得る。次いで、シンボル復調器１３８０が、それらのサンプルを処理し、アップリンクに関する受信パイロットシンボルおよびデータシンボル推定値を供給する。ＲＸデータプロセッサ１３８５は、データシンボル推定値を処理して、端末１３３０によって送信されたトラフィックデータを復元する。プロセッサ１３９０は、アップリンク上の各アクティブ端末送信に関してチャネル推定を実行する。
【０１０３】
プロセッサ１３９０および１３５０は、それぞれアクセスポイント１３０５および端末１３３０において動作を指示（たとえば、制御、調整、管理、．．．）する。それぞれのプロセッサ１３９０および１３５０を、プログラムコードおよびデータを記憶するメモリユニット（図示せず）に結合することができる。プロセッサ１３９０および１３５０はまた、それぞれ、アップリンクとダウンリンクとに関して周波数推定値とインパルス応答推定値とを導き出すために計算を実行することができる。
【０１０４】
多元接続システム（たとえば、ＦＤＭＡ、ＯＦＤＭＡ、ＣＤＭＡ、ＴＤＭＡなど）の場合、複数の端末がアップリンク上で同時に送信することができる。そのようなシステムの場合、パイロットサブバンドを異なる端末の間で共有することができ得る。各端末のためのパイロットサブバンドが（場合によっては、バンドエッジを除いて）動作帯域全体にわたる場合に、チャネル推定技術を使用することができ得る。そのようなパイロットサブバンド構造は、端末ごとに周波数ダイバーシティを得るために望ましい。本明細書で説明する技法は、様々な手段によって実装でき得る。たとえば、これらの技法はハードウェア、ソフトウェア、またはそれらの組合せで実装でき得る。ハードウェア実装の場合、チャネル推定に使用される処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せ内で実装でき得る。ソフトウェアでは、本明細書で説明する機能を実行するモジュール（たとえば、プロシージャ、関数など）によって実装することができる。ソフトウェアコードは、メモリユニットに記憶し、プロセッサ１３９０および１３５０によって実行することができ得る。
【０１０５】
本明細書で説明する態様は、ハードウェア、ソフトウェア、ファームウェア、またはそれらの任意の組合せで実装でき得ることを理解されたい。ソフトウェアで実装する場合、機能は、１つまたは複数の命令またはコードとしてコンピュータ可読媒体上に記憶するか、あるいはコンピュータ可読媒体を介して送信することができ得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスできる任意の利用可能な媒体とすることができ得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、あるいは命令またはデータ構造の形態の所望のプログラムコード手段を搬送または記憶するために使用でき、汎用または専用コンピュータあるいは汎用または専用プロセッサによってアクセスできる、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１０６】
本明細書で開示した態様に関して説明した様々な例示的なロジック、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明した機能を実行するように設計されたそれらの任意の組合せを用いて実装または実行でき得る。汎用プロセッサはマイクロプロセッサとすることができ得るが、代替として、プロセッサは従来のプロセッサ、コントローラ、マイクロコントローラ、または状態機械（ステート・マシン）とすることができ得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもでき得る。さらに、少なくとも１つのプロセッサは、上述のステップおよび／またはアクションの１つまたは複数を実行するように動作可能な１つまたは複数のモジュールを備えることができ得る。
【０１０７】
ソフトウェア実装の場合、本明細書で説明する技法は、本明細書で説明する機能を実行するモジュール（たとえば、プロシージャ、関数など）を用いて実装でき得る。ソフトウェアコードは、メモリユニットに記憶し、プロセッサよって実行することができ得る。メモリユニットは、プロセッサの内部またはプロセッサの外部に実装でき得、その場合、当技術分野で知られているように様々な手段を介してプロセッサに通信可能に結合できる。さらに、少なくとも１つのプロセッサは、本明細書で説明した機能を実行するように動作可能な１つまたは複数のモジュールを含むことができ得る。
【０１０８】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用でき得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができ得る。ＵＴＲＡは、Ｗｉｄｅｂａｎｄ−ＣＤＭＡ（Ｗ−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができ得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができ得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含むことができ得る。
【０１０９】
シングルキャリア変調および周波数領域等化を利用するシングルキャリア周波数分割多元接続（ＳＣ−ＦＤＭＡ）は、開示する態様とともに利用できる技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、より低いＰＡＰＲが送信電力効率の点でモバイル端末に利益を与えることができるアップリンク通信において利用できる。
【０１１０】
さらに、本明細書で説明する様々な態様または特徴は、標準のプログラミングおよび／またはエンジニアリング技法を使用した方法、装置、または製造品として実装でき得る。本明細書で使用する「製造品」という用語は、任意のコンピュータ可読デバイス、キャリア、または媒体からアクセス可能なコンピュータプログラムを包含するものとする。たとえば、コンピュータ可読媒体は、磁気ストレージデバイス（たとえば、ハードディスク、フロッピーディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。さらに、コンピュータプログラム製品は、本明細書で説明した機能をコンピュータに実行させるように動作可能な１つまたは複数の命令またはコードを有するコンピュータ可読媒体を含むことができ得る。
【０１１１】
さらに、本明細書で開示する態様に関して説明する方法またはアルゴリズムのステップおよび／またはアクションは、直接ハードウェアで実施するか、プロセッサによって実行されるソフトウェアモジュールで実施するか、またはその２つの組合せで実施することができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができ得る。例示的な記憶媒体は、プロセッサが記憶媒体から情報を読み取り、記憶媒体に情報を書き込むことができるようにプロセッサに結合でき得る。代替として、記憶媒体はプロセッサに一体化することができ得る。さらに、いくつかの態様では、プロセッサおよび記憶媒体はＡＳＩＣ中に常駐することができ得る。さらに、ＡＳＩＣはユーザ端末中に常駐することができ得る。代替として、プロセッサおよび記憶媒体は、ユーザ端末中に個別コンポーネントとして常駐することができ得る。さらに、いくつかの態様では、方法またはアルゴリズムのステップおよび／またはアクションは、コンピュータプログラム製品に組み込むことができ得る、機械可読媒体および／またはコンピュータ可読媒体上のコードおよび／または命令の１つまたは任意の組合せ、あるいはそのセットとして常駐することができ得る。
【０１１２】
上記の開示は例示的な態様および／または実施形態について論じたが、添付の特許請求の範囲によって定義された、説明した態様および／または実施形態の範囲から逸脱することなく、様々な変更および修正を本明細書で行うことができることに留意されたい。したがって、説明した態様は、添付の特許請求の範囲の範囲内に入るすべてのそのような改変形態、変更形態および変形形態を包含するものとする。さらに、説明した態様および／または実施形態の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部を用いて利用することができ得る。
【０１１３】
「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。さらに、発明を実施するための形態または特許請求の範囲のいずれかで使用される「または」という用語は、排他的な「または」でなく包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
以下に、本願出願の当初の特許請求の範囲に記載された発明を付記する。
［１］
協調マルチポイント送信をサポートするための専用基準信号を使用するための、第１のワイヤレスデバイスによって実行される方法であって、
第１のユーザデバイスへの第１のデータ変調シンボルの送信を第２のワイヤレスデバイスと調整することと、
前記第１のユーザデバイスを対象とする前記第１のデータ変調シンボルを第１の方向において送信することと、
第１のパイロット変調シンボルを前記第１の方向において送信することと
を備える方法。
［２］
前記調整することに基づいて、前記第１のユーザデバイスを対象とする前記第１のデータ変調シンボルおよび前記第１のパイロット変調シンボルを、前記第２のワイヤレスデバイスによって、第２の方向において送信すること
をさらに備える、［１］に記載の方法。
［３］
前記第１の方向において送信する前にクラスタ固有スクランブリングを適用することであって、前記クラスタ固有スクランブリングのためのスクランブリングコードがあらかじめ決定される、適用すること
をさらに備える、［１］に記載の方法。
［４］
クラスタ固有スクランブリングのためのスクランブリングコードを制御チャネル上で前記第１のユーザデバイスに搬送すること
をさらに備える、［１］に記載の方法。
［５］
前記第１の方向において送信する前にユーザグループ固有スクランブリングを適用すること
をさらに備える、［１］に記載の方法。
［６］
第２のユーザデバイスへの第２のデータ変調シンボルの送信を前記第２のワイヤレスデバイスと調整することと、
前記第２のユーザデバイスを対象とする前記第２のデータ変調シンボルを第２の方向において送信することと、
第２のパイロット変調シンボルを前記第２の方向において送信することと
をさらに備える、［１］に記載の方法。
［７］
前記調整することに基づいて、
前記第１のユーザデバイスを対象とする前記第１のデータ変調シンボルおよび前記第１のパイロット変調シンボルを、前記第２のワイヤレスデバイスによって、第３の方向において送信することと、
前記第２のユーザデバイスを対象とする前記第２のデータ変調シンボルおよび前記第２のパイロット変調シンボルを、前記第２のワイヤレスデバイスによって、第４の方向において送信することと
をさらに備える、［６］に記載の方法。
［８］
前記送信することが、前記第１のパイロット変調シンボルを第１のレイヤ上で送信することと、前記第２のパイロット変調シンボルを第２のレイヤ上で送信することとを備える、［６］に記載の方法。
［９］
前記第１のパイロット変調シンボルを第１の専用基準信号中に含め、前記第２のパイロット変調シンボルを第２の専用基準信号中に含めることと、
前記第１の専用基準信号を第１のレイヤ上で送信し、前記第２の専用基準信号を第２のレイヤ上で送信することであって、前記第１のレイヤと前記第２のレイヤが相互に直交する、送信することと
をさらに備える、［６］に記載の方法。
［１０］
前記第１のパイロット変調シンボルおよび前記第２のパイロット変調シンボルを送信することが、前記第１のパイロット変調シンボルおよび前記第２のパイロット変調シンボルを、直交するリソース上で送信することを備える、［６］に記載の方法。
［１１］
前記送信することが、時分割多重リソース、周波数分割多重リソース、符号分割多重リソース、またはそれらの組合せ上で前記第１のパイロット変調シンボルおよび前記第２のパイロット変調シンボルを送信することを含む、［１０］に記載の方法。
［１２］
前記第１のパイロット変調シンボルを第１の専用基準信号中に含め、前記第２のパイロット変調シンボルを第２の専用基準信号中に含めることであって、前記第１の専用基準信号および前記第２の専用基準信号が物理ダウンリンク共有チャネル復調をターゲットにする、含めること
をさらに備える、［６］に記載の方法。
［１３］
プリコーディング動作によって前記第１の専用基準信号および前記第２の専用基準信号を処理すること
をさらに備える、［１２］に記載の方法。
［１４］
前記送信のために前記第１のワイヤレスデバイスによってスケジュールされたリソースブロックおよびレイヤ中に前記第１の専用基準信号および前記第２の専用基準信号を含めること
をさらに備える、［１２］に記載の方法。
［１５］
前記第２のワイヤレスデバイスと前記調整することが、協調ビームフォーミングを採用することを備える、［１］に記載の方法。
［１６］
ワイヤレス通信装置であって、
第１のモバイルデバイスへの第１のデータ変調シンボルの送信について第２のワイヤレス通信装置との同期をとることと、前記第１の変調シンボルおよび第１のパイロット変調シンボルを第１の方向において送信することとに関係する命令を保持するメモリと、
前記メモリに結合されており、前記メモリ中に保持された前記命令を実行するように構成された、プロセッサと
を備えるワイヤレス通信装置。
［１７］
前記メモリが、前記第１の方向において送信する前にクラスタ固有スクランブリングを適用することと、前記クラスタ固有スクランブリングのためのスクランブリングコードを前記第１のモバイルデバイスに搬送することとに関係するさらなる命令を保持する、［１６］に記載のワイヤレス通信装置。
［１８］
同期をとることに関係する前記命令が、協調ビームフォーミングを採用することに関係する命令を備える、［１６］に記載のワイヤレス通信装置。
［１９］
前記メモリが、第２のモバイルデバイスへの第２のデータ変調シンボルの送信について前記第２のワイヤレス通信装置との同期をとることと、前記第２のデータ変調シンボルおよび第２のパイロット変調シンボルを第２の方向において送信することとに関係するさらなる命令を保持する、［１６］に記載のワイヤレス通信装置。
［２０］
前記メモリが、時分割多重リソース、周波数分割多重リソース、符号分割多重リソース、またはそれらの組合せ上で前記第１のパイロット変調シンボルおよび前記第２のパイロット変調シンボルを送信することに関係するさらなる命令を保持する、［１９］に記載のワイヤレス通信装置。
［２１］
協調マルチポイント送信をサポートするための専用基準信号を利用するワイヤレス通信装置であって、
第１のデバイスへの第１のデータ変調シンボルと第２のデバイスへの第２のデータ変調シンボルとの送信を第２のワイヤレス通信装置と調整するための手段と、
前記第１のデータ変調シンボルおよび第１のパイロット変調シンボルを第１の方向において送信するための手段と、
前記第２のデータ変調シンボルおよび第２のパイロット変調シンボルを第２の方向において送信するための手段と
を備えるワイヤレス通信装置。
［２２］
前記第１の方向において送信するための前記手段が、前記第１のパイロット変調シンボルを第１のレイヤ上で送信し、前記第２の方向において送信するための前記手段が、前記第２のパイロット変調シンボルを第２のレイヤ上で送信する、［２１］に記載のワイヤレス通信装置。
［２３］
前記第１のパイロット変調シンボルを第１の専用基準信号中に挿入し、前記第２のパイロット変調シンボルを第２の専用基準信号中に挿入するための手段をさらに備え、前記第１の方向において送信するための前記手段が、前記第１の専用基準信号を第１のレイヤ上で送信し、前記第２の方向において送信するための前記手段が、前記第２の専用基準信号を第２のレイヤ上で送信し、前記第１のレイヤと前記第２のレイヤが相互に直交する、
［２１］に記載のワイヤレス通信装置。
［２４］
クラスタ固有スクランブリングを適用するための手段であって、前記クラスタ固有スクランブリングのためのスクランブリングコードがあらかじめ決定される、適用するための手段と、
前記スクランブリングコードを前記第１のデバイスおよび前記第２のデバイスに送信するための手段と
をさらに備える、［２１］に記載のワイヤレス通信装置。
［２５］
第１のモバイルデバイスへの第１のデータ変調シンボルの送信の同期をとることをコンピュータに行わせるためのコードの第１のセットと、
前記第１の変調シンボルおよび第１のパイロット変調シンボルを第１の方向において送信することを前記コンピュータに行わせるためのコードの第２のセットと
を備え、第２のワイヤレス通信装置との同期をとることが、協調ビームフォーミングを採用することを備える、
コンピュータ可読媒体
を備えるコンピュータプログラム製品。
［２６］
前記コンピュータ可読媒体が、
前記第１の方向において送信する前にクラスタ固有スクランブリングを適用することを前記コンピュータに行わせるためのコードの第３のセットと、
前記クラスタ固有スクランブリングのためのスクランブリングコードを前記第１のモバイルデバイスに搬送することを前記コンピュータに行わせるためのコードの第４のセットと
をさらに備える、［２５］に記載のコンピュータプログラム製品。
［２７］
前記コンピュータ可読媒体が、
第２のモバイルデバイスへの第２のデータ変調シンボルの送信の同期をとることを前記コンピュータに行わせるためのコードの第３のセットと、
前記第２のデータ変調シンボルおよび第２のパイロット変調シンボルを第２の方向において送信することを前記コンピュータに行わせるためのコードの第４のセットと
をさらに備える、［２５］に記載のコンピュータプログラム製品。
［２８］
協調マルチポイント送信をサポートするための専用基準信号を利用するように構成された少なくとも１つのプロセッサであって、
第１のデバイスへの第１のデータ変調シンボルと第２のデバイスへの第２のデータ変調シンボルとの送信を調整するための第１のモジュールと、
第１のデバイスを対象とする前記第１のデータ変調シンボルおよび第１のパイロット変調シンボルを第１の方向において送信するための第２のモジュールと、
第２のデバイスを対象とする前記第２のデータ変調シンボルおよび第２のパイロット変調シンボルを第２の方向において送信するための第３のモジュールと
を備える少なくとも１つのプロセッサ。
［２９］
前記第２のモジュールおよび前記第３のモジュールが、時分割多重リソース、周波数分割多重リソース、符号分割多重リソース、またはそれらの組合せ上で前記第１のパイロット変調シンボルおよび前記第２のパイロット変調シンボルを送信する、［２８］に記載の少なくとも１つのプロセッサ。
［３０］
協調マルチポイントをサポートするための専用基準信号を受信するための、モバイルデバイスによって実行される方法であって、
前記デバイスを対象とするデータ変調シンボルを第１の方向から受信することと、
パイロット変調シンボルを前記第１の方向から受信することと
を備え、前記モバイルデバイスにおける前記データ変調シンボルの受信が、第１の通信装置と少なくとも第２の通信装置との間で調整された、
方法。
［３１］
前記デバイスを対象とする前記データ変調シンボルを第２の方向から受信することと、
前記パイロット変調シンボルを前記第２の方向から受信することとをさらに備え、前記データ変調シンボルおよび前記パイロット変調シンボルが、前記第１の通信装置からは前記第１の方向から受信され、前記第２の通信装置からは前記第２の方向から受信される、［３０］に記載の方法。
［３２］
前記第１の方向から受信し前記第２の方向から受信する前に前記第１のワイヤレス通信装置および前記第２のワイヤレス通信装置によって適用されるクラスタ固有スクランブリングのためのスクランブリングコードを制御チャネル上で受信すること
をさらに備える、［３１］に記載の方法。
［３３］
前記第１の方向および前記第２の方向から受信する前に前記第１のワイヤレス通信装置および前記第２のワイヤレス通信装置によって適用されるユーザグループ固有スクランブリングを受信すること
をさらに備える、［３１］に記載の方法。
［３４］
前記受信することが、時分割多重リソース、周波数分割多重リソース、符号分割多重リソース、またはそれらの組合せ上で前記パイロット変調シンボルを受信することを備える、［３１］に記載の方法。
［３５］
ワイヤレス通信装置であって、
データ変調シンボルを第１の方向から受信することと、パイロット変調シンボルを前記第１の方向から受信することとに関係する命令を保持するメモリであって、前記第１の方向から受信した前記データ変調シンボルおよび前記パイロット変調シンボルが、少なくとも第２のノードと調整された第１のノードからのものである、メモリと、
前記メモリに結合されており、前記メモリ中に保持された前記命令を実行するように構成された、プロセッサと
を備えるワイヤレス通信装置。
［３６］
前記メモリが、前記データ変調シンボルを前記第１の方向から受信する前にクラスタ固有スクランブリングコードを前記第１の方向から受信することに関係するさらなる命令を保持する、［３５］に記載のワイヤレス通信装置。
［３７］
前記メモリが、前記データ変調シンボルを第２の方向から受信することと、前記パイロット変調シンボルを前記第２の方向から受信することとに関係するさらなる命令を保持し、前記第２の方向から受信した前記データ変調シンボルおよび前記パイロット変調シンボルが、前記第２のノードからのものである、［３５］に記載のワイヤレス通信装置。
［３８］
前記メモリが、時分割多重リソース、周波数分割多重リソース、符号分割多重リソース、またはそれらの組合せ上で前記パイロット変調シンボルを受信することに関係するさらなる命令を保持する、［３７］に記載のワイヤレス通信装置。
［３９］
協調マルチポイントをサポートするための専用基準信号を受信するワイヤレス通信装置であって、
データ変調シンボルおよびパイロット変調シンボルを第１の方向から受信するための手段と、
前記データ変調シンボルおよび前記パイロット変調シンボルを第２の方向から受信するための手段と
を備え、前記第１の方向と前記第２の方向が、少なくとも２つのワイヤレスデバイス間で調整された、
ワイヤレス通信装置。
［４０］
前記データ変調シンボルおよび前記パイロット変調シンボルに適用されるクラスタ固有スクランブリングのためのスクランブリングコードを得るための手段と、
前記スクランブリングコードを用いて前記データ変調シンボルおよび前記パイロット変調シンボルを復号するための手段と
をさらに備える、［３９］に記載のワイヤレス通信装置。
［４１］
データ変調シンボルおよびパイロット変調シンボルを第１の方向から受信することをコンピュータに行わせるためのコードの第１のセットと、
前記データ変調シンボルおよび前記パイロット変調シンボルを第２の方向から受信することを前記コンピュータに行わせるためのコードの第２のセットと
を備えるコンピュータ可読媒体
を備えるコンピュータプログラム製品。
［４２］
前記コンピュータ可読媒体が、
前記データ変調シンボルおよび前記パイロット変調シンボルに適用されるクラスタ固有スクランブリングのためのスクランブリングコードを受信することを前記コンピュータに行わせるためのコードの第３のセットと、
前記スクランブリングコードを用いて前記データ変調シンボルおよび前記パイロット変調シンボルを復号することを前記コンピュータに行わせるためのコードの第４のセットと
をさらに備える、［４１］に記載のコンピュータプログラム製品。
［４３］
コードの前記第１のセットとコードの前記第２のセットとが、時分割多重リソース、周波数分割多重リソース、符号分割多重リソース、またはそれらの組合せ上で前記パイロット変調シンボルを受信する、［４１］に記載のコンピュータプログラム製品。
［４４］
協調マルチポイント受信をサポートするための専用基準信号を利用するように構成された少なくとも１つのプロセッサであって、
データ変調シンボルおよびパイロット変調シンボルを第１の方向から受信するための第１のモジュールと、
前記データ変調シンボルおよび前記パイロット変調シンボルを第２の方向から受信するための第２のモジュールと
を備える少なくとも１つのプロセッサ。
［４５］
前記第１のモジュールおよび前記第２のモジュールが、時分割多重リソース、周波数分割多重リソース、符号分割多重リソース、またはそれらの組合せ上で前記パイロット変調シンボルを受信する、［４４］に記載の少なくとも１つのプロセッサ。
【図１】
0005420661.tif 000002
【図２】
0005420661.tif 000003
【図３】
0005420661.tif 000004
【図４】
0005420661.tif 000005
【図５】
0005420661.tif 000006
【図６】
0005420661.tif 000007
【図７】
0005420661.tif 000008
【図８】
0005420661.tif 000009
【図９】
0005420661.tif 000010
【図１０】
0005420661.tif 000011
【図１１】
0005420661.tif 000012
【図１２】
0005420661.tif 000013
【図１３】
0005420661.tif 000014